(57)【要約】      （修正有）【課題】赤外波長域の光を選択的に吸収することが可能なスクアリリウム化合物および固体撮像素子ならびに電子機器を提供する。【解決手段】式（１）で表わされる分子構造を有するスクアリリウム化合物を用いる。ここでＲ３は、炭素数１以上１０以下の直鎖状のアルキル基あるいはその誘導体、Ｒ１，Ｒ２，Ｒ４〜Ｒ１１は、各々独立して水素原子、ハロゲン原子、直鎖，分岐または環状のアルキル基、フェニル基、直鎖または縮環した芳香族化合物を有する基、ハロゲン化物を有する基などである。2017203902.tif 000060【選択図】図１
2017203902.tif 000002
【特許請求の範囲】
【請求項１】
下記一般式（１）、一般式（２）、一般式（３）または一般式（４）で表わされる分子構造を有する
スクアリリウム化合物。
【化１】
2017203902.tif 000048
（Ｒ３は、炭素数１以上１０以下の直鎖状のアルキル基あるいはその誘導体である。Ｒ１，Ｒ２，Ｒ４〜Ｒ１１は、各々独立して水素原子、ハロゲン原子、直鎖，分岐または環状のアルキル基、フェニル基、直鎖または縮環した芳香族化合物を有する基、ハロゲン化物を有する基、パーシャルフルオロアルキル基、パーフルオロアルキル基、シリルアルキル基、シリルアルコキシ基、アリールシリル基、アリールスルファニル基、アルキルスルファニル基、アリールスルホニル基、アルキルスルホニル基、アリールスルフィド基、アルキルスルフィド基、アミノ基、アルキルアミノ基、アリールアミノ基、ヒドロキシ基、アルコキシ基、アシルアミノ基、アシルオキシ基、カルボニル基、カルボキシ基、カルボキソアミド基、カルボアルコキシ基、アシル基、スルホニル基、シアノ基、ニトロ基、カルコゲン化物を有する基、ホスフィン基、ホスホン基あるいはそれらの誘導体である。）
【化２】
2017203902.tif 000049
（Ｒ２１は、炭素数１以上１０以下の直鎖状のアルキル基あるいはその誘導体である。Ｒ１２〜Ｒ２０は、水素原子、ハロゲン原子、直鎖，分岐または環状のアルキル基、フェニル基、直鎖または縮環した芳香族化合物を有する基、ハロゲン化物を有する基、パーシャルフルオロアルキル基、パーフルオロアルキル基、シリルアルキル基、シリルアルコキシ基、アリールシリル基、アリールスルファニル基、アルキルスルファニル基、アリールスルホニル基、アルキルスルホニル基、アリールスルフィド基、アルキルスルフィド基、アミノ基、アルキルアミノ基、アリールアミノ基、ヒドロキシ基、アルコキシ基、アシルアミノ基、アシルオキシ基、カルボニル基、カルボキシ基、カルボキソアミド基、カルボアルコキシ基、アシル基、スルホニル基、シアノ基、ニトロ基、カルコゲン化物を有する基、ホスフィン基、ホスホン基あるいはそれらの誘導体である。）
【化３】
2017203902.tif 000050
（Ｒ３１は、炭素数１以上１０以下の直鎖状のアルキル基あるいはその誘導体である。Ｒ２２〜Ｒ３０は、水素原子、ハロゲン原子、直鎖，分岐または環状のアルキル基、フェニル基、直鎖または縮環した芳香族化合物を有する基、ハロゲン化物を有する基、パーシャルフルオロアルキル基、パーフルオロアルキル基、シリルアルキル基、シリルアルコキシ基、アリールシリル基、アリールスルファニル基、アルキルスルファニル基、アリールスルホニル基、アルキルスルホニル基、アリールスルフィド基、アルキルスルフィド基、アミノ基、アルキルアミノ基、アリールアミノ基、ヒドロキシ基、アルコキシ基、アシルアミノ基、アシルオキシ基、カルボニル基、カルボキシ基、カルボキソアミド基、カルボアルコキシ基、アシル基、スルホニル基、シアノ基、ニトロ基、カルコゲン化物を有する基、ホスフィン基、ホスホン基あるいはそれらの誘導体である。）
【化４】
2017203902.tif 000051
（Ｘ１〜Ｘ５は、各々独立して炭素原子または窒素原子である。Ｒ３９は、炭素数１以上１０以下の直鎖状のアルキル基あるいはその誘導体である。Ｒ３２〜Ｒ３８は、水素原子、ハロゲン原子、直鎖，分岐または環状のアルキル基、フェニル基、直鎖または縮環した芳香族化合物を有する基、ハロゲン化物を有する基、パーシャルフルオロアルキル基、パーフルオロアルキル基、シリルアルキル基、シリルアルコキシ基、アリールシリル基、アリールスルファニル基、アルキルスルファニル基、アリールスルホニル基、アルキルスルホニル基、アリールスルフィド基、アルキルスルフィド基、アミノ基、アルキルアミノ基、アリールアミノ基、ヒドロキシ基、アルコキシ基、アシルアミノ基、アシルオキシ基、カルボニル基、カルボキシ基、カルボキソアミド基、カルボアルコキシ基、アシル基、スルホニル基、シアノ基、ニトロ基、カルコゲン化物を有する基、ホスフィン基、ホスホン基あるいはそれらの誘導体である。）
【請求項２】
前記一般式（１）におけるＲ１，Ｒ１１は、各々独立して少なくとも一方が水素結合を形成可能な基である、請求項１に記載のスクアリリウム化合物。
【請求項３】
前記水素結合を形成する基は、ヒドロキシ（−ＯＨ）基，アミノ（−ＮＨ2）基またはアミド（−Ｃ（＝Ｏ）−ＮＲ４０Ｒ４１；Ｒ４０およびＲ４１は各々独立して水素原子またはアルキル基）である、請求項２に記載のスクアリリウム化合物。
【請求項４】
前記一般式（２）におけるＲ１２は、水素結合を形成可能な基である、請求項１に記載のスクアリリウム化合物。
【請求項５】
前記水素結合を形成する基は、ヒドロキシ（−ＯＨ）基，アミノ（−ＮＨ2）基またはアミド（−Ｃ（＝Ｏ）−ＮＲ４０Ｒ４１；Ｒ４０およびＲ４１は各々独立して水素原子またはアルキル基）である、請求項４に記載のスクアリリウム化合物。
【請求項６】
前記一般式（３）におけるＲ２２は、水素結合を形成可能な基である、請求項１に記載のスクアリリウム化合物。
【請求項７】
前記水素結合を形成する基は、ヒドロキシ（−ＯＨ）基，アミノ（−ＮＨ2）基またはアミド（−Ｃ（＝Ｏ）−ＮＲ４０Ｒ４１；Ｒ４０およびＲ４１は各々独立して水素原子またはアルキル基）である、請求項６に記載のスクアリリウム化合物。
【請求項８】
前記一般式（４）におけるＲ３２は、水素結合を形成可能な基である、請求項１に記載のスクアリリウム化合物。
【請求項９】
前記水素結合を形成する基は、ヒドロキシ（−ＯＨ）基，アミノ（−ＮＨ2）基またはアミド（−Ｃ（＝Ｏ）−ＮＲ４０Ｒ４１；Ｒ４０およびＲ４１は各々独立して水素原子またはアルキル基）である、請求項８に記載のスクアリリウム化合物。
【請求項１０】
前記一般式（１）、前記一般式（２）、前記一般式（３）または前記一般式（４）で表わされるスクアリリウム化合物は、６５０ｎｍ以上１５００ｎｍ以下の範囲に極大吸収は量を有し、赤外波長域（６００ｎｍ以上１５００ｎｍ以下）の最大吸光度に対する可視領域（４００ｎｍ以上６００ｎｍ未満）の最大吸光度は、０．０４未満である、請求項１に記載のスクアリリウム化合物。
【請求項１１】
光電変換部と、
前記光電変換部の上に設けられたオンチップレンズと、
前記オンチップレンズの上に設けられ、下記一般式（１）、一般式（２）、一般式（３）または一般式（４）で表わされる分子構造を有するスクアリリウム化合物を少なくとも１種含む光学フィルタと
を備えた固体撮像素子。
【化５】
2017203902.tif 000052
（Ｒ３は、炭素数１以上１０以下の直鎖状のアルキル基あるいはその誘導体である。Ｒ１，Ｒ２，Ｒ４〜Ｒ１１は、各々独立して水素原子、ハロゲン原子、直鎖，分岐または環状のアルキル基、フェニル基、直鎖または縮環した芳香族化合物を有する基、ハロゲン化物を有する基、パーシャルフルオロアルキル基、パーフルオロアルキル基、シリルアルキル基、シリルアルコキシ基、アリールシリル基、アリールスルファニル基、アルキルスルファニル基、アリールスルホニル基、アルキルスルホニル基、アリールスルフィド基、アルキルスルフィド基、アミノ基、アルキルアミノ基、アリールアミノ基、ヒドロキシ基、アルコキシ基、アシルアミノ基、アシルオキシ基、カルボニル基、カルボキシ基、カルボキソアミド基、カルボアルコキシ基、アシル基、スルホニル基、シアノ基、ニトロ基、カルコゲン化物を有する基、ホスフィン基、ホスホン基あるいはそれらの誘導体である。）
【化６】
2017203902.tif 000053
（Ｒ２１は、炭素数１以上１０以下の直鎖状のアルキル基あるいはその誘導体である。Ｒ１２〜Ｒ２０は、水素原子、ハロゲン原子、直鎖，分岐または環状のアルキル基、フェニル基、直鎖または縮環した芳香族化合物を有する基、ハロゲン化物を有する基、パーシャルフルオロアルキル基、パーフルオロアルキル基、シリルアルキル基、シリルアルコキシ基、アリールシリル基、アリールスルファニル基、アルキルスルファニル基、アリールスルホニル基、アルキルスルホニル基、アリールスルフィド基、アルキルスルフィド基、アミノ基、アルキルアミノ基、アリールアミノ基、ヒドロキシ基、アルコキシ基、アシルアミノ基、アシルオキシ基、カルボニル基、カルボキシ基、カルボキソアミド基、カルボアルコキシ基、アシル基、スルホニル基、シアノ基、ニトロ基、カルコゲン化物を有する基、ホスフィン基、ホスホン基あるいはそれらの誘導体である。）
【化７】
2017203902.tif 000054
（Ｒ３１は、炭素数１以上１０以下の直鎖状のアルキル基あるいはその誘導体である。Ｒ２２〜Ｒ３０は、水素原子、ハロゲン原子、直鎖，分岐または環状のアルキル基、フェニル基、直鎖または縮環した芳香族化合物を有する基、ハロゲン化物を有する基、パーシャルフルオロアルキル基、パーフルオロアルキル基、シリルアルキル基、シリルアルコキシ基、アリールシリル基、アリールスルファニル基、アルキルスルファニル基、アリールスルホニル基、アルキルスルホニル基、アリールスルフィド基、アルキルスルフィド基、アミノ基、アルキルアミノ基、アリールアミノ基、ヒドロキシ基、アルコキシ基、アシルアミノ基、アシルオキシ基、カルボニル基、カルボキシ基、カルボキソアミド基、カルボアルコキシ基、アシル基、スルホニル基、シアノ基、ニトロ基、カルコゲン化物を有する基、ホスフィン基、ホスホン基あるいはそれらの誘導体である。）
【化８】
2017203902.tif 000055
（Ｘ１〜Ｘ５は、各々独立して炭素原子または窒素原子である。Ｒ３９は、炭素数１以上１０以下の直鎖状のアルキル基あるいはその誘導体である。Ｒ３２〜Ｒ３８は、水素原子、ハロゲン原子、直鎖，分岐または環状のアルキル基、フェニル基、直鎖または縮環した芳香族化合物を有する基、ハロゲン化物を有する基、パーシャルフルオロアルキル基、パーフルオロアルキル基、シリルアルキル基、シリルアルコキシ基、アリールシリル基、アリールスルファニル基、アルキルスルファニル基、アリールスルホニル基、アルキルスルホニル基、アリールスルフィド基、アルキルスルフィド基、アミノ基、アルキルアミノ基、アリールアミノ基、ヒドロキシ基、アルコキシ基、アシルアミノ基、アシルオキシ基、カルボニル基、カルボキシ基、カルボキソアミド基、カルボアルコキシ基、アシル基、スルホニル基、シアノ基、ニトロ基、カルコゲン化物を有する基、ホスフィン基、ホスホン基あるいはそれらの誘導体である。）
【請求項１２】
前記光学フィルタは、下記一般式（１）、一般式（２）、一般式（３）または一般式（４）で表わされるスクアリリウム化合物と、バインダー樹脂とを含有する、請求項１１に記載の固体撮像素子。
【請求項１３】
前記バインダー樹脂は、４００ｎｍ以上６００ｎｍ以下に吸収極大波長を有しない熱硬化型または光硬化型樹脂である、請求項１２に記載の固体撮像素子。
【請求項１４】
前記バインダー樹脂は、シロキサン結合を主骨格とする樹脂である、請求項１３に記載の固体撮像素子。
【請求項１５】
前記光学フィルタは、さらに、前記スクアリリウム化合物とは吸収極大波長が異なる１または２種以上の色素を含む、請求項１１に記載の固体撮像素子。
【請求項１６】
前記光学フィルタは、前記スクアリリウム化合物を含有する第１吸収層と、前記スクアリリウム化合物とは吸収極大波長が異なる色素を含有する第２吸収層とが積層されて構成されている、請求項１５に記載の固体撮像素子。
【請求項１７】
前記光学フィルタの厚みは、０．５μｍ以上２００μｍ以下である、請求項１１に記載の固体撮像素子。
【請求項１８】
各画素が１または複数の固体撮像素子を含み、
前記固体撮像素子は、
光電変換部と、
前記光電変換部の上に設けられたオンチップレンズと、
前記オンチップレンズの上に設けられ、下記一般式（１）、一般式（２）、一般式（３）または一般式（４）で表わされる分子構造を有するスクアリリウム化合物を少なくとも１種含む光学フィルタと
を備えた電子機器。
【化９】
2017203902.tif 000056
（Ｒ３は、炭素数１以上１０以下の直鎖状のアルキル基あるいはその誘導体である。Ｒ１，Ｒ２，Ｒ４〜Ｒ１１は、各々独立して水素原子、ハロゲン原子、直鎖，分岐または環状のアルキル基、フェニル基、直鎖または縮環した芳香族化合物を有する基、ハロゲン化物を有する基、パーシャルフルオロアルキル基、パーフルオロアルキル基、シリルアルキル基、シリルアルコキシ基、アリールシリル基、アリールスルファニル基、アルキルスルファニル基、アリールスルホニル基、アルキルスルホニル基、アリールスルフィド基、アルキルスルフィド基、アミノ基、アルキルアミノ基、アリールアミノ基、ヒドロキシ基、アルコキシ基、アシルアミノ基、アシルオキシ基、カルボニル基、カルボキシ基、カルボキソアミド基、カルボアルコキシ基、アシル基、スルホニル基、シアノ基、ニトロ基、カルコゲン化物を有する基、ホスフィン基、ホスホン基あるいはそれらの誘導体である。）
【化１０】
2017203902.tif 000057
（Ｒ２１は、炭素数１以上１０以下の直鎖状のアルキル基あるいはその誘導体である。Ｒ１２〜Ｒ２０は、水素原子、ハロゲン原子、直鎖，分岐または環状のアルキル基、フェニル基、直鎖または縮環した芳香族化合物を有する基、ハロゲン化物を有する基、パーシャルフルオロアルキル基、パーフルオロアルキル基、シリルアルキル基、シリルアルコキシ基、アリールシリル基、アリールスルファニル基、アルキルスルファニル基、アリールスルホニル基、アルキルスルホニル基、アリールスルフィド基、アルキルスルフィド基、アミノ基、アルキルアミノ基、アリールアミノ基、ヒドロキシ基、アルコキシ基、アシルアミノ基、アシルオキシ基、カルボニル基、カルボキシ基、カルボキソアミド基、カルボアルコキシ基、アシル基、スルホニル基、シアノ基、ニトロ基、カルコゲン化物を有する基、ホスフィン基、ホスホン基あるいはそれらの誘導体である。）
【化１１】
2017203902.tif 000058
（Ｒ３１は、炭素数１以上１０以下の直鎖状のアルキル基あるいはその誘導体である。Ｒ２２〜Ｒ３０は、水素原子、ハロゲン原子、直鎖，分岐または環状のアルキル基、フェニル基、直鎖または縮環した芳香族化合物を有する基、ハロゲン化物を有する基、パーシャルフルオロアルキル基、パーフルオロアルキル基、シリルアルキル基、シリルアルコキシ基、アリールシリル基、アリールスルファニル基、アルキルスルファニル基、アリールスルホニル基、アルキルスルホニル基、アリールスルフィド基、アルキルスルフィド基、アミノ基、アルキルアミノ基、アリールアミノ基、ヒドロキシ基、アルコキシ基、アシルアミノ基、アシルオキシ基、カルボニル基、カルボキシ基、カルボキソアミド基、カルボアルコキシ基、アシル基、スルホニル基、シアノ基、ニトロ基、カルコゲン化物を有する基、ホスフィン基、ホスホン基あるいはそれらの誘導体である。）
【化１２】
2017203902.tif 000059
（Ｘ１〜Ｘ５は、各々独立して炭素原子または窒素原子である。Ｒ３９は、炭素数１以上１０以下の直鎖状のアルキル基あるいはその誘導体である。Ｒ３２〜Ｒ３８は、水素原子、ハロゲン原子、直鎖，分岐または環状のアルキル基、フェニル基、直鎖または縮環した芳香族化合物を有する基、ハロゲン化物を有する基、パーシャルフルオロアルキル基、パーフルオロアルキル基、シリルアルキル基、シリルアルコキシ基、アリールシリル基、アリールスルファニル基、アルキルスルファニル基、アリールスルホニル基、アルキルスルホニル基、アリールスルフィド基、アルキルスルフィド基、アミノ基、アルキルアミノ基、アリールアミノ基、ヒドロキシ基、アルコキシ基、アシルアミノ基、アシルオキシ基、カルボニル基、カルボキシ基、カルボキソアミド基、カルボアルコキシ基、アシル基、スルホニル基、シアノ基、ニトロ基、カルコゲン化物を有する基、ホスフィン基、ホスホン基あるいはそれらの誘導体である。）
【発明の詳細な説明】
【技術分野】
【０００１】
本開示は、例えば、赤外光カットフィルタ等の光学フィルタの材料として用いることが可能なスクアリリウム化合物およびこれを用いた固体撮像素子ならびに電子機器に関する。
【背景技術】
【０００２】
一般に、ビデオカメラやデジタルスチルカメラ等の撮像装置には、ＣＣＤ（Charge Coupled Device）やＣＭＯＳ（Complementary Metal Oxide Semiconductor）構造の固体撮像素子（イメージセンサ）が搭載されている。ＣＣＤイメージセンサやＣＭＯＳイメージセンサは、近紫外波長帯域から近赤外波長帯域に対して感度を有している。撮像装置においては、人の視感度（可視領域；波長４００〜７００ｎｍ程度）以外の波長帯域の光信号はノイズ成分となり、画像品質を低下させる原因となる。このため、一般の撮像装置では、固体撮像素子の手前（光入射方向）に赤外光カットフィルタを配置し、これによって近赤外波長帯域の光を除去している。
【０００３】
赤外光カットフィルタとしては、例えば、特許文献１に記載の撮像素子において、シアニン色素を含有する赤外吸収層が開示されている。赤外光カットフィルタの材料としては、このシアニン色素の他に、スクアリリウム系化合物が用いられている。
【先行技術文献】
【特許文献】
【０００４】
【特許文献１】特開２０１５−２０３８６３号公報
【発明の概要】
【発明が解決しようとする課題】
【０００５】
ところで、赤外光カットフィルタには、さらなる可視領域の透明性が求められており、赤外波長域の光を選択的に吸収することが可能な材料の開発が求められている。
【０００６】
赤外波長域の光を選択的に吸収することが可能なスクアリリウム化合物および固体撮像素子ならびに電子機器を提供することが望ましい。
【課題を解決するための手段】
【０００７】
本開示の一実施形態のスクアリリウム化合物は、下記一般式（１）、一般式（２）、一般式（３）または一般式（４）で表わされる分子構造を有するものである。
【０００８】
【化１】
2017203902.tif 000003
（Ｒ３は、炭素数１以上１０以下の直鎖状のアルキル基あるいはその誘導体である。Ｒ１，Ｒ２，Ｒ４〜Ｒ１１は、各々独立して水素原子、ハロゲン原子、直鎖，分岐または環状のアルキル基、フェニル基、直鎖または縮環した芳香族化合物を有する基、ハロゲン化物を有する基、パーシャルフルオロアルキル基、パーフルオロアルキル基、シリルアルキル基、シリルアルコキシ基、アリールシリル基、アリールスルファニル基、アルキルスルファニル基、アリールスルホニル基、アルキルスルホニル基、アリールスルフィド基、アルキルスルフィド基、アミノ基、アルキルアミノ基、アリールアミノ基、ヒドロキシ基、アルコキシ基、アシルアミノ基、アシルオキシ基、カルボニル基、カルボキシ基、カルボキソアミド基、カルボアルコキシ基、アシル基、スルホニル基、シアノ基、ニトロ基、カルコゲン化物を有する基、ホスフィン基、ホスホン基あるいはそれらの誘導体である。）
【０００９】
【化２】
2017203902.tif 000004
（Ｒ２１は、炭素数１以上１０以下の直鎖状のアルキル基あるいはその誘導体である。Ｒ１２〜Ｒ２０は、水素原子、ハロゲン原子、直鎖，分岐または環状のアルキル基、フェニル基、直鎖または縮環した芳香族化合物を有する基、ハロゲン化物を有する基、パーシャルフルオロアルキル基、パーフルオロアルキル基、シリルアルキル基、シリルアルコキシ基、アリールシリル基、アリールスルファニル基、アルキルスルファニル基、アリールスルホニル基、アルキルスルホニル基、アリールスルフィド基、アルキルスルフィド基、アミノ基、アルキルアミノ基、アリールアミノ基、ヒドロキシ基、アルコキシ基、アシルアミノ基、アシルオキシ基、カルボニル基、カルボキシ基、カルボキソアミド基、カルボアルコキシ基、アシル基、スルホニル基、シアノ基、ニトロ基、カルコゲン化物を有する基、ホスフィン基、ホスホン基あるいはそれらの誘導体である。）
【００１０】
【化３】
2017203902.tif 000005
（Ｒ３１は、炭素数１以上１０以下の直鎖状のアルキル基あるいはその誘導体である。Ｒ２２〜Ｒ３０は、水素原子、ハロゲン原子、直鎖，分岐または環状のアルキル基、フェニル基、直鎖または縮環した芳香族化合物を有する基、ハロゲン化物を有する基、パーシャルフルオロアルキル基、パーフルオロアルキル基、シリルアルキル基、シリルアルコキシ基、アリールシリル基、アリールスルファニル基、アルキルスルファニル基、アリールスルホニル基、アルキルスルホニル基、アリールスルフィド基、アルキルスルフィド基、アミノ基、アルキルアミノ基、アリールアミノ基、ヒドロキシ基、アルコキシ基、アシルアミノ基、アシルオキシ基、カルボニル基、カルボキシ基、カルボキソアミド基、カルボアルコキシ基、アシル基、スルホニル基、シアノ基、ニトロ基、カルコゲン化物を有する基、ホスフィン基、ホスホン基あるいはそれらの誘導体である。）
【００１１】
【化４】
2017203902.tif 000006
（Ｘ１〜Ｘ５は、各々独立して炭素原子または窒素原子である。Ｒ３９は、炭素数１以上１０以下の直鎖状のアルキル基あるいはその誘導体である。Ｒ３２〜Ｒ３８は、水素原子、ハロゲン原子、直鎖，分岐または環状のアルキル基、フェニル基、直鎖または縮環した芳香族化合物を有する基、ハロゲン化物を有する基、パーシャルフルオロアルキル基、パーフルオロアルキル基、シリルアルキル基、シリルアルコキシ基、アリールシリル基、アリールスルファニル基、アルキルスルファニル基、アリールスルホニル基、アルキルスルホニル基、アリールスルフィド基、アルキルスルフィド基、アミノ基、アルキルアミノ基、アリールアミノ基、ヒドロキシ基、アルコキシ基、アシルアミノ基、アシルオキシ基、カルボニル基、カルボキシ基、カルボキソアミド基、カルボアルコキシ基、アシル基、スルホニル基、シアノ基、ニトロ基、カルコゲン化物を有する基、ホスフィン基、ホスホン基あるいはそれらの誘導体である。）
【００１２】
本開示の一実施形態の固体撮像素子は、光電変換部と、光電変換部上に設けられたオンチップレンズと、上記本開示の一実施形態のスクアリリウム化合物を少なくとも１種含む光学フィルタを有するものである。
【００１３】
本開示の一実施形態の電子機器は、上記本開示の一実施形態の固体撮像素子を備えたものである。
【発明の効果】
【００１４】
本開示の一実施形態のスクアリリウム化合物およびこれを備えた一実施形態の固体撮像素子ならびに一実施形態の電子機器では、上記一般式（１）、一般式（２）、一般式（３）または一般式（４）で表わされる分子構造を設計することにより、可視領域の波長の光の吸収を低減することが可能となる。
【００１５】
本開示の一実施形態のスクアリリウム化合物および一実施形態の固体撮像素子ならびに一実施形態の電子機器によれば、上記一般式（１）、一般式（２）、一般式（３）または一般式（４）で表わされる分子構造を設計したことにより、可視領域の波長の光の吸収が低減され、赤外波長域の光を選択的に吸収することが可能となる。
【００１６】
なお、ここに記載された効果は必ずしも限定されるものではなく、本開示中に記載されたいずれの効果であってもよい。
【図面の簡単な説明】
【００１７】
【図１】本開示の第１の実施の形態に係る固体撮像素子の断面構成の一例を表す模式図である。
【図２】本開示の第１の実施の形態に係る固体撮像素子の断面構成の他の例を表す模式図である。
【図３】一般的なスクアリリウム化合物の吸光特性図である。
【図４】本開示の変形例１に係る固体撮像素子の断面構成を表す模式図である。
【図５】本開示の変形例２に係る固体撮像素子の断面構成を表す模式図である。
【図６】本開示の変形例３に係る固体撮像素子の断面構成を表す模式図である。
【図７】本開示の変形例４に係る固体撮像素子の断面構成を表す模式図である。
【図８】本開示の第２の実施の形態に係る可逆性記録媒体の断面構成を表す模式図である。
【図９】適用例１に係る撮像装置の全体構成を表す平面図である。
【図１０】適用例２（電子機器）に係る全体構成を表すブロック図である。
【図１１】適用例３（プラズマ表示装置）に係る全体構成を表すブロック図である。
【図１２】実験例１における吸光特性図である。
【図１３】実験例２における吸光特性図である。
【図１４】実験例３における吸光特性図である。
【図１５】実験例４における吸光特性図である。
【発明を実施するための形態】
【００１８】
以下、本開示における一実施形態について、図面を参照して詳細に説明する。なお、説明する順序は、下記の通りである。
１．実施の形態（スクアリリウム化合物を赤外吸収層の材料として用いた例）
１−１．固体撮像素子の構成
１−２．固体撮像素子の動作
１−３．作用・効果
２．変形例
２−１．変形例１
２−２．変形例２
２−３．変形例３
２−４．変形例４
３．第２の実施の形態（スクアリリウム化合物を可逆性記録媒体の光熱変換材料として用いた例）
３−１．可逆性記録媒体の構成
３−２．作用・効果
４．適用例
５．実施例
【００１９】
＜１．第１の実施の形態＞
図１は、本開示の第１の実施の形態に係る固体撮像素子（固体撮像素子１０）の断面構成を表したものである。この固体撮像素子１０は、例えば、ＣＣＤイメージセンサまたはＣＭＯＳイメージセンサ等の撮像装置（例えば、固体撮像装置１）において１つの画素（例えば、単位画素Ｐ）を構成するものである（いずれも、図９参照）。固体撮像素子１０は、光電変換部１１Ｂが形成されている光電変換層１１上にカラーフィルタ層１２、オンチップレンズ１３、平坦化層１４および赤外吸収層１５がこの順に積層された構成を有するものである。本実施の形態では、赤外吸収層１５は、スクアリリウム化合物を用いて形成されており、このスクアリリウム化合物は、後述する一般式（１）、一般式（２）、一般式（３）または一般式（４）で表わされるものである。
【００２０】
（１−１．固体撮像素子の構成）
光電変換層１１は、入射した光を電気信号として検出するものであり、例えばシリコン（Ｓｉ）等の基板１１Ａに複数の光電変換部１１Ｂが形成されている。光電変換層１１の構造は、特に限定されるものではなく、ＣＣＤやＣＭＯＳ構造等を採用することができる。光電変換部１１Ｂは、例えば基板１１Ａに１次元的（線状）に配置されていてもよいし、２次元的（行列状）に配置されていてもよい。
【００２１】
カラーフィルタ層１２は、例えば赤色波長域の光を透過させる赤色フィルタ１２Ｒ、緑色波長域の光を透過させる緑色フィルタ１２Ｇおよび青色波長域の光を透過させる青色フィルタ１２Ｂから構成されている。これらの色フィルタ（赤色フィルタ１２Ｒ，緑色フィルタ１２Ｂ，青色フィルタ１２Ｂ）は、規則的（例えばベイヤー配列）に配置されている。このようなカラーフィルタ層１２を設けることにより、固体撮像装置１では、その色配列に対応した色の受光データが得られる。なお、カラーフィルタ層１２を構成する各色フィルタ１２Ｒ，１２Ｂ，１２Ｂの透過波長は、上記赤色、緑色および青色の３色に限定されるものではなく、固体撮像素子の仕様等に応じて適宜選択することができる。また、赤色フィルタ１２Ｒ，緑色フィルタ１２Ｂおよび青色フィルタ１２Ｂを形成する材料も、特に限定されるものではなく、それぞれ、公知の材料を用いることができる。
【００２２】
赤色フィルタ１２Ｒ、緑色フィルタ１２Ｇおよび青色フィルタ１２Ｂは、それぞれ対応する光電変換部１１Ｂ上に配置されている。これにより、各光電変換部１１Ｂには、それぞれ各色フィルタ１２Ｒ、１２Ｂ、１２Ｂを透過した特定の波長域の光が入射する。各光電変換部１１Ｂの出力は、各色フィルタ１２Ｒ、１２Ｂ、１２Ｂを透過した光の強度となる。
【００２３】
また、カラーフィルタ層１２は、赤外波長域（例えば、６００ｎｍ以上１５００ｎｍ以下）に極大吸収波長を有していてもよい。このように、後述する赤外吸収層１５に加えて、カラーフィルタ層１２に赤外線吸収能を付与することにより、赤外光除去性能を更に向上させることができる。カラーフィルタ層１２に赤外光吸収能を付与するには、例えば各色フィルタ１２Ｒ、１２Ｂ、１２Ｂに、赤外光を吸収する材料（赤外光吸収材料）を含有させればよい。
【００２４】
赤外光吸収材料としては、例えば、後述する赤外吸収層１５の構成材料として用いられるスクアリリウム化合物の他、ＫＣｕＰＯ4、酸化鉄および酸化タングステン等の周期表の第４周期の遷移金属を含有する化合物、酸化インジウムスズ（ＩＴＯ）等の導電性酸化物、ジイモニウム化合物、アントラキノン化合物、シアニン化合物、フタロシアニン化合物、アゾ錯体、Ｎｉ錯体、Ｃｏ錯体、Ｃｕ錯体、Ｆｅ錯体、ピロロピロール化合物、チオ尿素化合物およびアセチレンポリマーが挙げられる。これらの赤外光吸収材料の中でも、特に、耐熱性の観点から、スクアリリウム化合物、遷移金属を含有する化合物、導電性酸化物、フタロシアニン化合物、アゾ錯体、Ｎｉ錯体、Ｃｏ錯体、Ｃｕ錯体、Ｆｅ錯体、ピロロピロール化合物を用いることが好ましい。
【００２５】
なお、カラーフィルタ層１２は、必要に応じて設けられるものであり、例えば各光電変換部１１Ｂの出力からモノクロ画像を得る場合には、カラーフィルタ層１２は省略される。カラーフィルタ層１２を設けない場合には、オンチップレンズ１３は、光電変換層１１上に直接積層してもよいが、何らかの層を介して積層してもよい。
【００２６】
オンチップレンズ１３は、光透過性を有し、光電変換部１１Ｂに向かって入射光を集光させるものである。オンチップレンズ１３は、例えば屈折率が１．５よりも高い高屈折率材料を用いて形成されている。このような材料としては、例えば酸化シリコン（ＳｉＯ2）や窒化シリコン（ＳｉＮX）等の無機材料が挙げられる。この他、エピスルフィド系樹脂、チエタン化合物やその樹脂等の高屈折率の有機材料を用いてもよい。また、金属チエタン化合物やそれを含む重合性組成物を用いることにより、オンチップレンズ１３の屈折率をさらに高めることができる。更に、これらの樹脂に、ＴｉＯ2、ＺｒＯ2、Ｔａ2Ｏ5、Ｎｂ2Ｏ5、ＺｎＯおよびＳｉ3Ｎ4等の屈折率が２〜２．５程度の酸化物や窒化物を添加することにより、より高屈折率なオンチップレンズ１３を形成することができる。
【００２７】
オンチップレンズ１３の形状は、特に限定されるものではなく、半球形状や半円筒状等の各種レンズ形状を用いることができる。オンチップレンズ１３は、図１に示したように、例えば、光電変換部１１Ｂごとに設けられており、共に同一の形状を有する。ここで、同一とは同一材料を用い、同一工程を経て製造されたものを言うが、製造時の各種条件によるばらつきを排除するものではない。また、オンチップレンズ１３は、複数の光電変換部１１Ｂに１つのオンチップレンズを設けるようにしてもよい。
【００２８】
オンチップレンズ１３は、例えば、レンズ材膜上にレンズ形状のレジスト膜を形成したのち、エッチバック処理を施すことにより形成することができる。この他、オンチップレンズ１３は、例えば、感光性樹脂膜をフォトリソグラフィ技術でパターン加工したのち、リフロー処理によってレンズ形状に変形させることで形成してもよい。
【００２９】
平坦化層１４は、オンチップレンズ１３によって形成された凹凸を埋設して表面を平坦化するものである。平坦化層１４を形成する材料としては、光透過性を有すると共に、オンチップレンズ１３よりも屈折率が小さい低屈折率材料を用いことが好ましい。これにより、平坦化層１４からオンチップレンズ１３に入射した光は、平坦化層１４とオンチップレンズ１３との界面において屈折し、各オンチップレンズ１３に対応する光電変換部１１Ｂに集光される。
【００３０】
平坦化層１４の屈折率は、オンチップレンズ１３よりも小さければよいが、オンチップレンズ１３によるレンズ効果の観点から、平坦化層１４とオンチップレンズ１３との屈折率の差は大きいほど好ましい。平坦化層１４を形成する低屈折率材料としては、例えば、多孔質シリカ（屈折率ｎ≦１．２）、ＭｇＦ等のフッ素化合物（屈折率ｎ≦１．２）およびシリコーン系樹脂（屈折率ｎ＝１．３〜１．４）が挙げられる。平坦化層１４の積層方向の膜厚（以下、単に厚みという）は、例えば１０ｎｍ〜２μｍ程度であるが、この範囲に限定されるものではなく、より薄いほうが好ましい。
【００３１】
赤外吸収層１５は、光電変換部１１Ｂへの入射光に含まれる赤外光成分を除去するものであり、例えば平坦化層１４上に設けられている。赤外吸収層１５は、赤外光吸収材料を含んで構成されている。この赤外光吸収材料は、赤外波長域（例えば、６００ｎｍ以上１５００ｎｍ以下の範囲）に吸収極大波長を有していることが好ましく、可視領域（例えば、４００ｎｍ以上６００ｎｍ未満の範囲）に吸収を持たないことが望ましい。このような材料として、下記一般式（１）、一般式（２）、一般式（３）または一般式（４）で表わされるスクアリリウム化合物が挙げられる。これらスクアリリウム化合物を１種以上用いて赤外吸収層１５を形成することにより、赤外波長域の光を選択的に吸収することが可能となる。
【００３２】
【化５】
2017203902.tif 000007
（Ｒ３は、炭素数１以上１０以下の直鎖状のアルキル基あるいはその誘導体である。Ｒ１，Ｒ２，Ｒ４〜Ｒ１１は、各々独立して水素原子、ハロゲン原子、直鎖，分岐または環状のアルキル基、フェニル基、直鎖または縮環した芳香族化合物を有する基、ハロゲン化物を有する基、パーシャルフルオロアルキル基、パーフルオロアルキル基、シリルアルキル基、シリルアルコキシ基、アリールシリル基、アリールスルファニル基、アルキルスルファニル基、アリールスルホニル基、アルキルスルホニル基、アリールスルフィド基、アルキルスルフィド基、アミノ基、アルキルアミノ基、アリールアミノ基、ヒドロキシ基、アルコキシ基、アシルアミノ基、アシルオキシ基、カルボニル基、カルボキシ基、カルボキソアミド基、カルボアルコキシ基、アシル基、スルホニル基、シアノ基、ニトロ基、カルコゲン化物を有する基、ホスフィン基、ホスホン基あるいはそれらの誘導体である。）
【００３３】
【化６】
2017203902.tif 000008
（Ｒ２１は、炭素数１以上１０以下の直鎖状のアルキル基あるいはその誘導体である。Ｒ１２〜Ｒ２０は、水素原子、ハロゲン原子、直鎖，分岐または環状のアルキル基、フェニル基、直鎖または縮環した芳香族化合物を有する基、ハロゲン化物を有する基、パーシャルフルオロアルキル基、パーフルオロアルキル基、シリルアルキル基、シリルアルコキシ基、アリールシリル基、アリールスルファニル基、アルキルスルファニル基、アリールスルホニル基、アルキルスルホニル基、アリールスルフィド基、アルキルスルフィド基、アミノ基、アルキルアミノ基、アリールアミノ基、ヒドロキシ基、アルコキシ基、アシルアミノ基、アシルオキシ基、カルボニル基、カルボキシ基、カルボキソアミド基、カルボアルコキシ基、アシル基、スルホニル基、シアノ基、ニトロ基、カルコゲン化物を有する基、ホスフィン基、ホスホン基あるいはそれらの誘導体である。）
【００３４】
【化７】
2017203902.tif 000009
（Ｒ３１は、炭素数１以上１０以下の直鎖状のアルキル基あるいはその誘導体である。Ｒ２２〜Ｒ３０は、水素原子、ハロゲン原子、直鎖，分岐または環状のアルキル基、フェニル基、直鎖または縮環した芳香族化合物を有する基、ハロゲン化物を有する基、パーシャルフルオロアルキル基、パーフルオロアルキル基、シリルアルキル基、シリルアルコキシ基、アリールシリル基、アリールスルファニル基、アルキルスルファニル基、アリールスルホニル基、アルキルスルホニル基、アリールスルフィド基、アルキルスルフィド基、アミノ基、アルキルアミノ基、アリールアミノ基、ヒドロキシ基、アルコキシ基、アシルアミノ基、アシルオキシ基、カルボニル基、カルボキシ基、カルボキソアミド基、カルボアルコキシ基、アシル基、スルホニル基、シアノ基、ニトロ基、カルコゲン化物を有する基、ホスフィン基、ホスホン基あるいはそれらの誘導体である。）
【００３５】
【化８】
2017203902.tif 000010
（Ｘ１〜Ｘ５は、各々独立して炭素原子または窒素原子である。Ｒ３９は、炭素数１以上１０以下の直鎖状のアルキル基あるいはその誘導体である。Ｒ３２〜Ｒ３８は、水素原子、ハロゲン原子、直鎖，分岐または環状のアルキル基、フェニル基、直鎖または縮環した芳香族化合物を有する基、ハロゲン化物を有する基、パーシャルフルオロアルキル基、パーフルオロアルキル基、シリルアルキル基、シリルアルコキシ基、アリールシリル基、アリールスルファニル基、アルキルスルファニル基、アリールスルホニル基、アルキルスルホニル基、アリールスルフィド基、アルキルスルフィド基、アミノ基、アルキルアミノ基、アリールアミノ基、ヒドロキシ基、アルコキシ基、アシルアミノ基、アシルオキシ基、カルボニル基、カルボキシ基、カルボキソアミド基、カルボアルコキシ基、アシル基、スルホニル基、シアノ基、ニトロ基、カルコゲン化物を有する基、ホスフィン基、ホスホン基あるいはそれらの誘導体である。）
【００３６】
また、一般式（１）におけるＲ１，Ｒ１１は、各々独立して少なくとも１つが水素結合を形成可能な基、例えば、スクアリリウム分子を構成する四角酸の２位および４位の酸素原子と水素結合を形成する基であることが好ましい。一般式（２）におけるＲ１２、一般式（３）におけるＲ２２および一般式（４）におけるＲ３２についても同様に、スクアリリウム分子を構成する四角酸の２位および４位の酸素原子と水素結合を形成する基であることが好ましい。このような基としては、例えばヒドロキシ（−ＯＨ）基，アミノ（−ＮＨ2）基またはアミド（−Ｃ（＝Ｏ）−ＮＲ４０Ｒ４１；Ｒ４０およびＲ４１は各々独立して水素原子またはアルキル基）が挙げられる。このように、一般式（１）に示したスクアリリウム化合物のＲ１，Ｒ１１の少なくとも一方、一般式（２）におけるＲ１２、一般式（３）におけるＲ２２および一般式（４）におけるＲ３２が、水素結合を形成する基で置換されたスクアリリウム化合物を用いることによって、赤外吸収層１５の耐熱性が向上する。なお、ここで、形成される水素結合は、分子内に形成されるものである。
【００３７】
一般式（１）に示したスクアリリウム化合物の具体例としては、例えば、下記式（１−１）〜（１−２７）に示したようなスクアリリウム化合物が挙げられる。式（１−１）〜（１−６）に示したスクアリリウム化合物は、Ｒ１，Ｒ２，Ｒ４〜Ｒ１１を全て水素原子とし、Ｒ３を直鎖状のアルキル基としたスクアリリウム化合物の一例である。式（１−７）〜（１−２０）に示したスクアリリウム化合物は、Ｒ１，Ｒ１１を水素原子、Ｒ３，Ｒ８，Ｒ９をメチル基とし、Ｒ２，Ｒ４〜Ｒ７，Ｒ１０に水素原子、メチル基、ハロゲン原子（−Ｆ）、−ＯＭｅ基等を導入したスクアリリウム化合物の一例である。式（１−２１）〜（１−２４）に示したスクアリリウム化合物は、Ｒ２，Ｒ４〜Ｒ７，Ｒ１０を水素原子、Ｒ３をヘキシル基、Ｒ８，Ｒ９をメチル基とし、Ｒ１，Ｒ１１に水素原子、ヒドロキシ基（−ＯＨ）、アミノ基（−ＮＨ2）およびアミド基のいずれかを導入したスクアリリウム化合物の一例である。これらスクアリリウム化合物は一例であり、例えば、式（１−２５）〜（１−２７）に示したスクアリリウム化合物のように、各スクアリリウム化合物の分子構造を適宜組み合わせてもよい。式（１−２５）に示したスクアリリウム化合物は、式（１−６）と式（１−１３）とを組み合わせたものである。式（１−２６）に示したスクアリリウム化合物は、式（１−６）と式（１−１３）と式（１−２０）とを組み合わせたものである。式（１−２７）に示したスクアリリウム化合物は、式（１−６）と式（１−１３）と式（１−２０）と式（１−２４）とを組み合わせたものである。
【００３８】
【化９】
2017203902.tif 000011
【００３９】
【化１０】
2017203902.tif 000012
【００４０】
【化１１】
2017203902.tif 000013
【００４１】
【化１２】
2017203902.tif 000014
【００４２】
【化１３】
2017203902.tif 000015
【００４３】
一般式（２）に示したスクアリリウム化合物の具体例としては、例えば、下記式（２−１）〜（２−２３）に示したようなスクアリリウム化合物が挙げられる。式（２−１）〜（２−６）に示したスクアリリウム化合物は、Ｒ１２〜Ｒ２０を全て水素原子とし、Ｒ２１を直鎖状のアルキル基としたスクアリリウム化合物の一例である。式（２−７）〜（２−９）に示したスクアリリウム化合物は、Ｒ１３〜Ｒ２０を全て水素原子、Ｒ２１をメチル基とし、Ｒ１２にヒドロキシ基（−ＯＨ）、アミノ基（−ＮＨ2）およびアミド基のいずれかを導入したスクアリリウム化合物の一例である。式（２−１０）〜（２−２０）に示したスクアリリウム化合物は、Ｒ１２を水素原子、Ｒ２１をメチル基とし、Ｒ１３〜Ｒ２０に水素原子、メチル基、ハロゲン原子（−Ｆ）、−ＯＭｅ基等を導入したスクアリリウム化合物の一例である。式（２−２１）〜（２−２３）に示したスクアリリウム化合物は、上記スクアリリウム化合物の分子構造を適宜組み合わせたスクアリリウム化合物の一例である。式（２−２１）に示したスクアリリウム化合物は、式（２−６）と式（２−９）とを組み合わせたものである。式（２−２２）に示したスクアリリウム化合物は、式（２−６）と式（２−９）と式（２−１４）とを組み合わせたものである。式（２−２３）に示したスクアリリウム化合物は、式（２−６）と式（２−９）と式（２−１４）と式（２−２３）とを組み合わせたものである。
【００４４】
【化１４】
2017203902.tif 000016
【００４５】
【化１５】
2017203902.tif 000017
【００４６】
【化１６】
2017203902.tif 000018
【００４７】
【化１７】
2017203902.tif 000019
【００４８】
【化１８】
2017203902.tif 000020
【００４９】
一般式（３）に示したスクアリリウム化合物の具体例としては、例えば、下記式（３−１）〜（３−２５）に示したようなスクアリリウム化合物が挙げられる。式（３−１）〜（３−６）に示したスクアリリウム化合物は、Ｒ２２〜Ｒ３０を全て水素原子とし、Ｒ３１を直鎖状のアルキル基としたスクアリリウム化合物の一例である。式（３−７）〜（３−９）に示したスクアリリウム化合物は、Ｒ２３〜Ｒ３０を全て水素原子、Ｒ３１をメチル基とし、Ｒ３２にヒドロキシ基（−ＯＨ）、アミノ基（−ＮＨ2）およびアミド基のいずれかを導入したスクアリリウム化合物の一例である。式（３−１０）〜（３−２２）に示したスクアリリウム化合物は、Ｒ２２を水素原子、Ｒ３１をメチル基とし、Ｒ２３〜Ｒ３０に水素原子、メチル基、ハロゲン原子（−Ｆ）、−ＯＭｅ基等を導入したスクアリリウム化合物の一例である。式（３−２３）〜（２−２５）に示したスクアリリウム化合物は、上記スクアリリウム化合物の分子構造を適宜組み合わせたスクアリリウム化合物の一例である。式（３−２３）に示したスクアリリウム化合物は、式（３−５）と式（３−９）とを組み合わせたものである。式（３−２４）に示したスクアリリウム化合物は、式（３−５）と式（３−９）と式（３−１４）とを組み合わせたものである。式（３−２５）に示したスクアリリウム化合物は、式（３−５）と式（３−９）と式（３−１４）と式（３−２２）とを組み合わせたものである。
【００５０】
【化１９】
2017203902.tif 000021
【００５１】
【化２０】
2017203902.tif 000022
【００５２】
【化２１】
2017203902.tif 000023
【００５３】
【化２２】
2017203902.tif 000024
【００５４】
【化２３】
2017203902.tif 000025
【００５５】
一般式（４）に示したスクアリリウム化合物の具体例としては、例えば、下記式（４−１）〜（４−２６）に示したようなスクアリリウム化合物が挙げられる。式（４−１）〜（４−３）に示したスクアリリウム化合物は、Ｒ３２〜Ｒ３９を全て水素原子とし、Ｘ１〜Ｘ５のいずれかを１つを窒素原子、その他を炭素原子としたスクアリリウム化合物の一例である。式（４−４）〜（４−８）に示したスクアリリウム化合物は、Ｘ４を窒素原子、Ｒ３２〜Ｒ３８を全て水素原子とし、Ｒ３９を直鎖状のアルキル基としたスクアリリウム化合物の一例である。式（４−９）〜（４−１１）に示したスクアリリウム化合物は、Ｘ４を窒素原子、Ｒ３３〜Ｒ３８を全て水素原子、Ｒ３９をメチル基とし、Ｒ３２にヒドロキシ基（−ＯＨ）、アミノ基（−ＮＨ2）およびアミド基のいずれかを導入したスクアリリウム化合物の一例である。式（４−１２）〜（４−２１）に示したスクアリリウム化合物は、Ｘ４を窒素原子、Ｒ３２を水素原子、Ｒ３９をメチル基とし、Ｒ３３〜Ｒ３８に水素原子、メチル基、ハロゲン原子（−Ｆ）、−ＯＭｅ基等を導入したスクアリリウム化合物の一例である。式（４−２２）〜（４−２４）に示したスクアリリウム化合物は、上記スクアリリウム化合物の分子構造を適宜組み合わせたスクアリリウム化合物の一例である。式（４−２２）に示したスクアリリウム化合物は、式（４−８）と式（４−１１）を組み合わせたものである。式（４−２３）に示したスクアリリウム化合物は式（４−８）と式（４−１１）と式（４−１７）とを組み合わせたものである。式（４−２４）に示したスクアリリウム化合物は、式（４−８）と式（４−１１）と式（４−１７）と式（４−２１）とを組み合わせたものである。式（４−２５），（４−２６）に示したスクアリリウム化合物は、式（４−２４）に示したスクアリリウム化合物を基に、Ｘ３を窒素原子（式（４−２５））またはＸ５を窒素原子（式（４−２６））としたものである。
【００５６】
【化２４】
2017203902.tif 000026
【００５７】
【化２５】
2017203902.tif 000027
【００５８】
【化２６】
2017203902.tif 000028
【００５９】
【化２７】
2017203902.tif 000029
【００６０】
【化２８】
2017203902.tif 000030
【００６１】
【化２９】
2017203902.tif 000031
【００６２】
また、本実施の形態のスクアリリウム化合物は、必ずしも対称構造である必要はない。例えば、スクアリリウム化合物の四角酸部位を挟んだ一方に式（１−１）で表わされる分子構造を、他方に式（１−２）で表わされる分子構造を有する非対称なスクアリリウム化合物を赤外吸収層１５の材料として用いることができる。
【００６３】
赤外吸収層１５は、上記スクアリリウム化合物と、バインダー樹脂とを含有する樹脂組成物によって形成することができる。赤外吸収層１５に用いるバインダー樹脂は、特に限定されるものではなく、例えば熱可塑性樹脂、熱硬化性樹脂および光硬化性樹脂等の各種樹脂を用いることができる。但し、耐熱性および撮像性能の観点から、バインダー樹脂は、例えばガラス転移点Ｔｇが１５０℃以上のものが好ましく、より好ましくは、さらに融点も１５０℃以上のもの、さらに好ましくは、加熱黄変温度が１５０℃以上のものである。このようなバインダー樹脂としては、例えばエポキシ系樹脂、アクリル系樹脂、シリコーン（シロキサン）系樹脂、ポリカーボネート系樹脂およびポリエチレン系樹脂が挙げられる。これらの樹脂の中でも、特に、４００ｎｍ以上６００ｎｍ以下に吸収極大波長を有しない熱硬化型または光硬化型樹脂を使用することが好ましい。
【００６４】
また、バインダー樹脂としてカルボキシル基等のように酸化力の強い官能基を含む樹脂を用いる場合には、スクアリリウム化合物が酸化されて耐熱性が低下する虞がある。このため、バインダー樹脂は、シロキサン結合（−Ｓｉ−Ｏ−）や炭素−酸素結合（−Ｃ−Ｏ−）等の安定性が高く、酸化力が比較的弱い結合で構成されている樹脂を用いることが好ましい。特に、シロキサン結合を主骨格とする樹脂が好適である。
【００６５】
なお、樹脂組成物におけるスクアリリウム化合物の分散状態は、特に限定されるものではなく、分子分散状態でもよいが、可視領域の透明性の向上の観点から、バインダー樹脂にスクアリリウム化合物が相溶した状態とすることが好ましい。
【００６６】
また、赤外吸収層１５には、上記スクアリリウム化合物およびバインダー樹脂の他に、バインダー樹脂を硬化させるための硬化剤や硬化補助剤が添加されていてもよい。これら硬化剤や硬化補助剤は、バインダー樹脂に含まれるモノマーによって適宜選択することができるが、例えば４００ｎｍ以上６００ｎｍ以下の可視光領域に吸収極大波長を有さないものを用いることが好ましい。
【００６７】
更に、赤外吸収層１５には、上記スクアリリウム化合物とは吸収極大波長が異なる１または２種以上の化合物を含有していてもよい。また、赤外吸収層１５は、例えば、図２に示したように、上記スクアリリウム化合物を含む第１吸収層１５Ａと、スクアリリウム化合物とは吸収極大波長が異なる１または２種以上の化合物を含む第２吸収層１５Ｂとの積層構造としてもよい。このように、吸収極大波長が異なる複数の化合物を併用することにより、スクアリリウム化合物では吸収率が低い波長の赤外光も吸収することが可能となり、撮像性能をさらに向上させることが可能となる。なお、第１吸収層１５Ａと第２吸収層１５Ｂとの積層順は特に問わない。
【００６８】
更に、赤外吸収層１５には、上記各成分の他に、耐熱性を向上させるための酸化物微粒子、レべリング剤、界面活性剤等の分散剤、酸化防止剤、スクアリリウム化合物等の色素の安定化剤等の各種添加剤が配合されていてもよい。更にまた、赤外吸収層１５は、上記カラーフィルタ層１２を構成する材料の一例として挙げた、ＫＣｕＰＯ4、酸化鉄および酸化タングステン等の周期表の第４周期の遷移金属を含有する化合物、酸化インジウムスズ（ＩＴＯ）等の導電性酸化物、ジイモニウム化合物、アントラキノン化合物、シアニン化合物、フタロシアニン化合物、アゾ錯体、Ｎｉ錯体、Ｃｏ錯体、Ｃｕ錯体、Ｆｅ錯体、ピロロピロール化合物、チオ尿素化合物およびアセチレンポリマーを含んでいてもよい。
【００６９】
赤外吸収層１５の厚みは、固体撮像素子１０の薄型化の観点から、例えば、０．５μｍ以上２００μｍ以下とすることが好ましい。本実施の形態の固体撮像素子１０では、オンチップレンズ１３上に平坦化層１４が設けられているため、オンチップレンズ１３の形状に関わらず、赤外吸収層１５を一定の厚みで形成することができる。また、本実施の形態では、赤外吸収層１５の厚みがオンチップレンズ１３と光電変換部１１Ｂの距離に影響しないため、赤外吸収層１５の厚みは、赤外光成分を十分除去できる厚さに設定することが可能となる。
【００７０】
赤外吸収層１５は、上記スクアリリウム化合物およびバインダー樹脂等を含有する樹脂組成物を、例えばクロロホルムに溶解してインクを調製したのち、このインクを例えばスピンコート法、第コート法、スリットコート法およびディスペンス法等の塗布法を用いて、例えばガラス基板、石英基板あるいは樹脂基板等の基材上に塗布することにより形成することができる。また、平坦化層１４上に直接塗布して形成するようにしてもよい。なお、上記樹脂組成物の溶媒は、クロロホルムに限らず、塗布方法およびスクアリリウムとバインダー樹脂の相溶性に合わせて適宜選択すればよい。クロロホルムの他には、例えばメタノール、エタノール、酢酸エチル、酢酸ブチル、アセトン、メチルエチルケトン、メチルイソブチルケトン、トルエン、テトラヒドロフラン、塩化メチレン、アニソール、ヘキサン、シクロヘキサン、シクロペンタノン、ジメチルホルムアミド、プロピレングリコールモノメチルエーテル、プロピレングリコールモノメチルエーテルアセテート等が挙げられる。
【００７１】
（１−２．固体撮像素子の動作）
上記のような固体撮像素子１０では、例えば固体撮像装置１の単位画素Ｐにおいて、次のようにして信号電荷が取得される。即ち、図１に示したように、固体撮像素子１０に入射した光（入射光Ｌ）は、赤外吸収層１５により赤外光成分が除去される。赤外光成分が除去された入射光Ｌは、平坦化層１４とオンチップレンズ１３との界面で屈折し、カラーフィルタ層１２の色フィルタ１２Ｒ，１２Ｇ，１２Ｂによって、所定の波長域以外の成分が除去されたのち、各光電変換部１１Ｂに集光される。集光された光は、各光電変換部１１Ｂにおいて光電変換され、信号電荷として取得される。
【００７２】
（１−３．作用・効果）
前述したように、ビデオカメラやデジタルスチルカメラ等の撮像装置に搭載されている固体撮像素子（イメージセンサ）には、画像品質を向上させるために、ノイズ成分となる可視領域以外の光をカットする光学フィルタが配置されている。この光学フィルタのうち、赤外波長域の光を除去する赤外光カットフィルタには、シアニン色素やスクアリリウム系化合物等の赤外吸収色素が用いられている。特にスクアリリウム系化合物は、６５０ｎｍ付近に急峻な吸収ピークを有するため注目されている。
【００７３】
しかしながら、一般に用いられているスクアリリウム系化合物（例えば、式（５））を含む赤外吸収色素は、図３に示したように、可視領域に僅かながら吸収特性を有する。例えば、可視領域の透明性を、（可視領域（４００ｎｍ以上６００ｎｍ未満）の最大吸光度）／（赤外波長域（６００ｎｍ以上１５００ｎｍ以下）の最大吸光度）と定義した場合、一般に用いられている赤外光カットフィルタにおける赤外波長域の最大吸光度に対する可視領域の最大吸光度は、例えば０．０４以上であった。
【００７４】
【化３０】
2017203902.tif 000032
【００７５】
これに対して、上記一般式（１）、一般式（２）、一般式（３）または一般式（４）で表わされるスクアリリウム化合物を用いて形成した本実施の形態の光学フィルタ（赤外吸収層１５）では、後述する実施例の各波長における吸光特性図（図１２〜図１５）で表わされるように、可視領域における吸収特性が低減される。具体的には、赤外波長域の最大吸光度に対する可視領域の最大吸光度は、０．０４未満になる。即ち、可視領域の波長の光の吸収が低減され、赤外波長域の光を選択的に吸収することが可能となる。
【００７６】
以上、本実施の形態の固体撮像素子１０では、上記一般式（１）、一般式（２）、一般式（３）または一般式（４）で表わされるスクアリリウム化合物を設計し、このスクアリリウム化合物を用いて赤外吸収層１５を形成するようにした。これにより、一般に用いられているスクアリリウム化合物の可視領域における吸光特性が低減され、赤外吸収層１５の可視領域における透明性を向上させることが可能となる。よって、赤外波長域の光を選択的に吸収することが可能となり、高い光学特性を有する固体撮像素子１０を提供することが可能となる。
【００７７】
また、赤外吸収色素として、一般式（１）に示したスクアリリウム化合物のＲ１，Ｒ１１の少なくとも一方、一般式（２）におけるＲ１２、一般式（３）におけるＲ２２および一般式（４）におけるＲ３２が、分子内水素結合を形成する基で置換されたスクアリリウム化合物を用いて赤外吸収層１５を設けることにより、可視領域の透明性と共に、赤外吸収層１５の耐熱性を向上させることが可能となる。
【００７８】
＜２．変形例＞
以下に、上記第１の実施の形態の変形例（変形例１〜４）および第２の実施の形態について説明する。なお、第１の実施の形態と同様の構成については、同じ符号を付し、その説明を省略する。
【００７９】
（２−１．変形例１）
図４は、本開示の変形例１に係る固体撮像素子（固体撮像素子２０）の断面構成を表したものである。この固体撮像素子２０は、赤外吸収層１５上に保護層１６が設けられている点が、上記第１の実施の形態とは異なる。なお、ここでは、保護層１６が赤外吸収層１５上に設けられている例を示しているが、保護層１６は、赤外吸収層１５の上面および側面に、例えば連続して形成されていてもよく、また、側面のみに形成されていてもよい。
【００８０】
保護層１６は、赤外吸収層１５を化学的および物理的に保護するものである。保護層１６を形成する材料としては、酸化銀（Ｉ）（Ａｇ2Ｏ）、一酸化銀（ＡｇＯ）、酸化アルミニウム（Ａｌ2Ｏ3）、フッ化アルミニウム（ＡｌＦ3）、フッ化バリウム（ＢａＦ2）、酸化セリウム（ＩＶ）（ＣｅＯ2）、酸化クロム（ＩＩＩ）（Ｃｒ2Ｏ3）、硫化クロム（ＩＩＩ）（Ｃｒ2Ｓ3）、フッ化ガドリニウム（ＧｄＦ3）、酸化ハフニウム（ＩＶ）（ＨｆＯ2）、酸化インジウムスズ（ＩＴＯ）、フッ化ランタン（ＬａＦ3）、ニオブ酸リチウム（ＬｉＮｂＯ3）、フッ化マグネシウム（ＭｇＦ2）、酸化マグネシウム（ＭｇＯ）、ヘキサフルオロアルミン酸ナトリウム（Ｎａ3ＡｌＦ6）、ご酸化ニオブ（Ｎｂ2Ｏ5）、ニッケルクロム合金（Ｎｉ−Ｃｒ）、ニッケルクロム合金の窒化物（ＮｉＣｒＮｘ）、窒酸化物（ＯｘＮｙ）、窒化シリコン（ＳｉＮ4）、酸化シリコン（ＳｉＯ）、に酸化シリコン（ＳｉＯ2）、ご酸化タンタル（Ｔａ2Ｏ5）、三酸化チタン（Ｔｉ2Ｏ3）、ご酸化チタン（Ｔｉ3Ｏ5）、酸化チタン（ＴｉＯ）、二酸化チタン（ＴｉＯ2）、酸化タングステン（ＷＯ3）、酸化イットリウム（Ｙ2Ｏ3）、フッ化イットリウム（ＹＦ3）、硫化亜鉛（ＺｎＳ）、二酸化ジルコニウム（ＺｒＯ2）および酸化インジウ無（Ｉｎ2Ｏ3）等が挙げられるが、これらに限定されるものではない。
【００８１】
本変形例では、赤外吸収層１５上に保護層１６を設けるようにしたので、光や酸素等の影響による赤外吸収層１５を構成する材料の分解や変質の発生を低減することができる。これにより、上記実施の形態の効果に加えて、長期に亘って優れた撮像性能を安定して得ることが可能となるという効果を奏する。
【００８２】
（２−２．変形例２）
図５は、本開示の変形例２に係る固体撮像素子（固体撮像素子３０）の断面構成を表したものである。この固体撮像素子３０は、光入射面側の最上層、例えば保護層１６上に光反射防止層１７が設けられている点が、上記実施の形態および変形例１とは異なる。なお、保護層１６は適宜省略することができる。その場合には、光反射防止層１７は赤外吸収層１５上に形成すればよい。
【００８３】
光反射防止層１７を形成する高屈折率材料としては、ＴｉＯ2、Ｎｂ2Ｏ5、ＴｉＯ2、Ｎｂ2Ｏ5、ＣｅＯ2、Ｔａ2Ｏ5、ＺｎＯ、ＺｒＯ2、Ｉｎ2Ｏ3、ＳｎＯ2およびＨｆＯ2等が挙げられる。これらは単独で使用しても、２種以上を組み合わせて使用してもよい。また、低屈折率材料としては、ＭｇＦ2、ＡｌＦ3、ＭｇＦ2、ＡｌＦ3およびＳｉＯ2等が挙げられる。これらは単独で使用しても、２種以上を組み合わせて使用してもよい。
【００８４】
一般に、固体撮像素子への入射光は、各層の界面においてわずかに反射される場合がある。界面において反射された光（反射光）が光電変換部１１Ｂに到達すると、本来の結像光でない光が光電変換部１１Ｂに入射することになり、撮像性の低下を招く。
【００８５】
本変形例では、固体撮像素子３０の光入射面側の最上層に光反射防止層１７を設けるようにしたので反射光の再反射を低減することが可能となる。よって、上記実施の形態および変形例１における効果に加えて、反射光の再反射による撮像性能の低下を抑制することが可能となるという効果を奏する。
【００８６】
（２−３．変形例３）
図６は、本開示の変形例３に係る固体撮像素子（固体撮像素子４０）の断面構成を表したものである。この固体撮像素子４０は、赤外吸収層１５よりも光入射面側にバンドパス層１８が設けられている点が、上記実施の形態とは異なる。なお、本変形例の固体撮像素子４０においても、上記保護層１６が設けられていてもよい。その場合には、保護層１６は、バンドパス層１８よりも上層に設けられていてもよく、また、バンドパス層１８と赤外吸収層１５との間に設けられていてもよい。更に、本変形例の固体撮像素子４０では、上記変形例２のように、固体撮像素子４０の最上層に光反射防止層１７を設けるようにしてもよい。
【００８７】
バンドパス層１８は、紫色の光の一部もしくは全部と、それより短い波長の光と、赤外光またはその両方を反射（遮蔽）するものであり、高屈折率材料からなる第１反射層と、この第１反射層よりも低屈折率材料からなる第２反射層とが交互に積層された構成となっている。
【００８８】
ここで、第１反射層を形成する高屈折率材料としては、ＴｉＯ2、Ｎｂ2Ｏ5、ＴｉＯ2、Ｎｂ2Ｏ5、ＣｅＯ2、Ｔａ2Ｏ5、ＺｎＯ、ＺｒＯ2、Ｉｎ2Ｏ3、ＳｎＯ2およびＨｆＯ2等が挙げられ、これらは単独で使用しても、２種以上を組み合わせて使用してもよい。また、第２反射層を形成する低屈折率材料としては、ＭｇＦ2、ＡｌＦ3、ＭｇＦ2、ＡｌＦ3およびＳｉＯ2等が挙げられ、これらは単独で使用しても、２種以上を組み合わせて使用してもよい。なお、第１反射層と第２反射層の積層数は、特に限定されるものではなく、要求される性能に応じて適宜設定することができる。
【００８９】
本変形例では、固体撮像素子４０の赤外吸収層１５上にバンドパス層１８を設けるようにしたので、赤外吸収層１５と共にバンドパス層１８においても入射光から赤外光成分を除去することが可能となる。バンドパス層１８は、多層膜間の光の干渉を利用しているため、入射光の入射角度によっては透過波長がシフトする場合がある。このような場合であっても、透過波長のシフトが原理的に生じない赤外吸収層１５によって透過波長帯域を維持することができるため、優れた撮像性能を維持することが可能となる。
【００９０】
（２−４．変形例４）
図７は、本開示の変形例４に係る固体撮像素子（固体撮像素子５０）の断面構成を表したものである。この固体撮像素子５０は、赤外吸収層１５を支持する支持基板２１を備えたものであり、赤外吸収層１５が接着層２２を介して平坦化層１４に積層されている点が、上記実施の形態とは異なる。なお、本変形例においても、上記変形例１における保護層１６、変形例２における光反射防止層１７および変形例３におけるバンドパス層１８を設けるようにしてもよい。
【００９１】
支持基板２１は、赤外吸収層１５を支持可能な強度と透明性を有する材料、例えば、ガラス、石英、あるいはＰＥＴやＰＥＤ等からなる透明樹脂シート等によって構成されたものである。
【００９２】
接着層２２は。平坦化層１４と赤外吸収層１５とを貼合するものであり、透明性を有する材料によって形成することができる。接着層２２の材料としては、例えば合成樹脂等が挙げられる。
【００９３】
本変形例では、赤外吸収層１５が支持基板２１側に形成されているため、赤外吸収層１５を、その他の層とは別工程で製造することが可能となり、製造の自由度が向上する。
【００９４】
＜３．第２の実施の形態＞
図８は、本開示の第２の実施の形態に係る可逆性記録媒体（可逆性記録媒体４）の断面構成を表したものである。可逆性記録媒体４は、支持基板３１上に、例えば、熱により可逆的に情報の記録や消去が可能な表示媒体として記録層３２が設けられたものである。記録層３２上には、保護層３３が積層されている。なお、図８は、可逆性記録媒体４の構成を模式的に表したものであり、実際の寸法、形状とは異なる場合がある。
【００９５】
（３−１．可逆性記録媒体の構成）
支持基板３１は、耐熱性に優れ、平面方向の寸法安定性の高い材料であれば、公知の材料を適宜使用することができ、例えば、無機材料，金属材料またはプラスチック材料等により構成されている。無機材料としては、例えば、ケイ素（Ｓｉ）、酸化ケイ素（ＳｉＯX）、窒化ケイ素（ＳｉＮX）または酸化アルミニウム（ＡｌＯX）等が挙げられる。酸化ケイ素には、ガラスまたはスピンオングラス（ＳＯＧ）等が含まれる。金属材料としては、例えば、アルミニウム（Ａｌ）、ニッケル（Ｎｉ）またはステンレス等が挙げられ、プラスチック材料としては、例えば、ポリカーボネート（ＰＣ）、ポリエチレンテレフタレート（ＰＥＴ）、ポリエチレンナフタレート（ＰＥＮ）またはポリエチルエーテルケトン（ＰＥＥＫ）等が挙げられる。
【００９６】
この支持基板３１は、光透過性でもよいし、非光透過性でもよい。保護層３３側に画像が表示されるため、支持基板３１は必ずしも光透過性である必要がないからである。支持基板３１は、ウェハ等の剛性を有する基板でもよいし、可撓性を有する薄層ガラスまたはフィルム等により構成してもよい。支持基板３１に可撓性材料を用いることにより、フレキシブル（折り曲げ可能）な可逆性記録媒体を実現できる。なお、支持基板３１は、白色、あるいは金属色を有する可視光に対して反射率の高い材料を用いることで、情報の記録を行った際の視認性を向上させることができる。
【００９７】
記録層３２は、可逆的な情報の記録および消去が可能なものであり、例えば、熱により可逆的に呈色（発色）状態または消色状態を制御することが可能な材料を用いて形成されている。具体的には、例えば、呈色性化合物、光熱変換材料および顕・減色剤を含む、例えば高分子材料によって形成されている。高分子材料は、呈色性化合物、光熱変換材料および顕・減色剤が均質に分散しやすいものが好ましい。具体的な高分子材料としては、例えば、ポリ塩化ビニル、ポリ酢酸ビニル、塩化ビニル− 酢酸ビニル共重合体、エチルセルロース、ポリスチレン、スチレン系共重合体、フェノキシ樹脂、ポリエステル、芳香族ポリエステル、ポリウレタン、ポリカーボネート、ポリアクリル酸エステル、ポリメタクリル酸エステル、アクリル酸系共重合体、マレイン酸系重合体、ポリビニルアルコール、変性ポリビニルアルコール、ヒドロキシエチルセルロース、カルボキシメチルセルロースおよびデンプン等が挙げられる。
【００９８】
呈色性化合物は、例えば、ロイコ色素が挙げられる。ロイコ色素としては、例えば、既存の感熱紙用染料が挙げられ、具体的には、一例として、下記式（６）に示した、分子内に、例えば電子供与性を有する基を含む化合物が挙げられる。
【００９９】
【化３１】
2017203902.tif 000033
【０１００】
顕・減色剤は、例えば、無色の呈色性化合物を発色または、任意の色を呈している呈色性化合物を消色させるためのものである。顕・減色剤は、フェノール誘導体、サリチル酸誘導体および尿素誘導体等が挙げられる。具体的には、例えば、下記一般式（２）に示した、分子内に電子受容性を有する基を含む化合物が挙げられる。
【０１０１】
【化３２】
2017203902.tif 000034
（Ｘは、Ｈ，ＯＨ，ＣＯＯＨ，ハロゲンのいずれかである。Ｙは、−ＮＨＣＯ−，−ＣＯＮＨ−，−ＮＨＣＯＮＨ−，−ＣＯＮＨＣＯ−，−ＮＨＮＨＣＯ−，−ＣＯＮＨＮＨ−，−ＣＯＮＨＮＨＣＯ−，−ＮＨＣＯＣＯＮＨ−，−ＮＨＣＯＮＨＣＯ−，−ＣＯＮＨＣＯＮＨ−，−ＮＨＮＨＣＯＮＨ−，−ＮＨＣＯＮＨＮＨ−，−ＣＯＮＨＮＨＣＯＮＨ−，−ＮＨＣＯＮＨＮＨＣＯ−，−ＣＯＮＨＮＨＣＯＮＨ−のいずれかである。Ｒ４２およびＲ４３は、各々独立して、炭素数２〜２６の炭化水素基であり、且つ、Ｒ４２およびＲ４３の炭素数の合計が９以上３０以下である。Ｚは、−ＣＯＯ−，−ＯＣＯ−，−Ｏ−，−ＣＯＮＨ−，−ＮＨＣＯ−，−ＮＨＣＯＮＨ−，−ＮＨＮＨＣＯ−，−ＣＯＮＨＮＨ−，−ＣＨ（ＣnＨ2nＯＨ）−（但し、ｎ＝０〜５）のいずれかである。ａは０または１である。）
【０１０２】
光熱変換材料は、特定の波長域の光を吸収して熱に変換するものである。光熱変換材料としては、例えば、呈色性化合物の発色を阻害しないように、可視領域にほとんど吸収を持たない赤外線吸収色素を用いることが好ましい。また、光熱変換時に光熱変換材料自体が分解しないような堅牢性を有することが好ましい。具体的には、上記第１の実施の形態で挙げた、上記一般式（１）、一般式（２）、一般式（３）または一般式（４）で表わされるスクアリリウム化合物が挙げられる。
【０１０３】
なお、記録層３２には、呈色性化合物、光熱変換材料および顕・減色剤の他に、増感剤および紫外線吸収剤等の各種添加剤が含まれていてもよい。増感剤は、消色温度を低下させて消去感度を向上させたり、発色温度を低下させて記録感度を向上させるものであり、より低エネルギーでの発色および消色を可能にするものである。
【０１０４】
保護層３３は、記録層３２の表面を保護するものであり、例えば、公知の紫外線硬化性樹脂や熱硬化性樹脂を用いて形成することができる。保護層３３の厚みは、例えば、０．１μｍ以上２０μｍ以下であることが好ましく、さらに０．５μｍ以上５μｍ以下であることが望ましい。保護層３３は、薄すぎると十分な保護効果が得られず、厚すぎると伝熱しにくくなるからである。
【０１０５】
（３−２．作用・効果）
本実施の形態では、可逆性記録媒体４の記録層３２を構成する光熱変換材料として、上記一般式（１）、一般式（２）、一般式（３）または一般式（４）で表わされるスクアリリウム化合物を用いるようにした。一般式（１）、一般式（２）、一般式（３）または一般式（４）で表わされるスクアリリウム化合物は、上記のように、可視領域における吸収特性が低い、即ち、呈色性化合物が吸収する波長域に対する透明性が高いため、可逆性記録媒体４の表示性能を向上させることが可能となる。
【０１０６】
また、一般式（１）に示したスクアリリウム化合物のＲ１，Ｒ１１の少なくとも一方、一般式（２）におけるＲ１２、一般式（３）におけるＲ２２および一般式（４）におけるＲ３２が、分子内水素結合を形成する基で置換されたスクアリリウム化合物は、高い耐光性を有する。このため、可逆性記録媒体４の耐久性を向上させることが可能となる。
【０１０７】
＜４．適用例＞
上記第１の実施の形態および変形例１〜４において説明した固体撮像素子１０〜５０は、後述する固体撮像装置１、撮像装置を備えた電子機器２（例えばカメラ）等に適用することができる。また、固体撮像素子１０〜５０に用いた赤外吸収層１５は、光学フィルタとして、例えば、後述するプラズマディスプレイ３のほか、例えば、熱線遮蔽フィルムとして用いることができる。
【０１０８】
（適用例１）
図９は、上記実施の形態等において説明した固体撮像素子１０〜５０を各単位画素Ｐに用いた撮像装置（固体撮像装置１）の全体構成を表したものである。この固体撮像装置１は、ＣＭＯＳイメージセンサであり、半導体基板（基板４１）上に、撮像エリアとしての画素部１ａを有すると共に、この画素部１ａの周辺領域に、例えば、行走査部１３１、水平選択部１３３、水平選択部１３３およびシステム制御部１３２からなる周辺回路部１３０を有している。
【０１０９】
画素部１ａは、例えば、行列状に２次元配置された複数の単位画素Ｐ（固体撮像装置１０に相当）を有している。この単位画素Ｐには、例えば、画素行ごとに画素駆動線Ｌread（具体的には行選択線およびリセット制御線）が配線され、画素列ごとに垂直信号線Ｌsigが配線されている。画素駆動線Ｌreadは、画素からの信号読み出しのための駆動信号を伝送するものである。画素駆動線Ｌreadの一端は、行走査部１３１の各行に対応した出力端に接続されている。
【０１１０】
行走査部１３１は、シフトレジスタやアドレスデコーダ等によって構成され、画素部１ａの各単位画素Ｐを、例えば、行単位で駆動する画素駆動部である。行走査部１３１によって選択走査された画素行の各単位画素Ｐから出力される信号は、垂直信号線Ｌsigの各々を通して水平選択部１３３に供給される。水平選択部１３３は、垂直信号線Ｌsigごとに設けられたアンプや水平選択スイッチ等によって構成されている。
【０１１１】
水平選択部１３３は、シフトレジスタやアドレスデコーダ等によって構成され、水平選択部１３３の各水平選択スイッチを走査しつつ順番に駆動するものである。この水平選択部１３３による選択走査により、垂直信号線Ｌsigの各々を通して伝送される各画素の信号が順番に水平信号線１３５に出力され、当該水平信号線１３５を通して基板４１の外部へ伝送される。
【０１１２】
行走査部１３１、水平選択部１３３、列走査部１３４および水平信号線１３５からなる回路部分は、基板４１上に直に形成されていてもよいし、あるいは外部制御ＩＣに配設されたものであってもよい。また、それらの回路部分は、ケーブル等により接続された他の基板に形成されていてもよい。
【０１１３】
システム制御部１３２は、基板４１の外部から与えられるクロックや、動作モードを指令するデータ等を受け取り、また、固体撮像装置１の内部情報等のデータを出力するものである。システム制御部１３２はさらに、各種のタイミング信号を生成するタイミングジェネレータを有し、当該タイミングジェネレータで生成された各種のタイミング信号を基に行走査部１３１、水平選択部１３３および水平選択部１３３等の周辺回路の駆動制御を行う。
【０１１４】
（適用例２）
上述した固体撮像装置１は、例えば、デジタルスチルカメラやビデオカメラ等のカメラシステムや、撮像機能を有する携帯電話等、撮像機能を備えたあらゆるタイプの電子機器に適用することができる。図１０に、その一例として、電子機器２（カメラ）の概略構成を表わしたものである。この電子機器２は、例えば、静止画または動画を撮影可能なビデオカメラであり、固体撮像装置１と、光学系（光学レンズ）３１０と、シャッタ装置３１１と、固体撮像装置１およびシャッタ装置３１１を駆動する駆動部３１３と、信号処理部３１２とを有する。
【０１１５】
光学系３１０は、被写体からの像光（入射光）を固体撮像装置１の画素部１ａへ導くものである。この光学系３１０は、複数の光学レンズから構成されていてもよい。シャッタ装置３１１は、固体撮像装置１への光照射期間および遮光期間を制御するものである。駆動部３１３は、固体撮像装置１の転送動作およびシャッタ装置３１１のシャッタ動作を制御するものである。信号処理部３１２は、固体撮像装置１から出力された信号に対し、各種の信号処理を行うものである。信号処理後の映像信号Ｄoutは、メモリ等の記憶媒体に記憶されるか、あるいは、モニタ等に出力される。
【０１１６】
（適用例３）
更に、上記実施の形態で説明した赤外吸収層１５は、例えば、プラズマ表示装置（プラズマディスプレイ３）に用いられる赤外線軽減フィルタ（ＩＲカットフィルタ）として用いることができる。図１１は、プラズマディスプレイ３の概略構成を表したものである。このプラズマディスプレイ３は、例えば表示パネル５５と、入力された映像信号ＳＶにＡ／Ｄ変換を施して映像データＤＶを生成するＡ／Ｄ変換器５１と、生成された映像データＤＶを格納する画像メモリ５２と、表示パネル５５に駆動パルスを出力するサスティンドライバ５３，データドライバ５４により主に構成され、ここでは簡便のため図示しないタイミング制御部によってＡ／Ｄ変換器５１，画像メモリ５２，サスティンドライバ５３およびデータドライバ５４の動作がタイミング制御されている。
【０１１７】
＜５．実施例＞
次に、本開示の実施例について説明する。まず、上記式（２−１）に示したスクアリリウム化合物とポリカーボネート樹脂をシクロペンタノンに溶解し混合した赤外吸収インクを調製した。このインクをガラス基板上に、スピンコータを用いて塗布したのち、加熱乾燥することで膜厚５μｍの赤外吸収層を成膜し、サンプル（実験例１）とした。この他、赤外吸収層の材料として、下記式（３−２６）に示したスクアリリウム化合物（実験例２）、下記式（４−２７）に示したスクアリリウム化合物（実験例３）、下記式（１−２８）に示したスクアリリウム化合物（実験例４）を用い、上記と同様の方法を用いて赤外吸収層を成膜し、サンプル（実験例２〜４）とした。
【０１１８】
【化３３】
2017203902.tif 000035
【０１１９】
これら実験例１〜４について、紫外可視近赤外分光高度計を用いて赤外吸収層の光吸収スペクトルを測定して可視領域における透明性（赤外波長域の最大吸光度に対する可視領域の最大吸光度；吸収強度比）を評価した。図１２〜図１５は、実験例１〜４の各波長における吸光特性を表したものである。
【０１２０】
図１２〜図１５からわかるように、式（２−１）、式（３−２６）、式（４−２７）および式（１−２８）に示したスクアリリウム化合物を用いた赤外吸収層では、図３に示した一般的なスクアリリウム化合物と比較して、可視領域（４００ｎｍ以上６００ｎｍ未満）における吸収特性が大きく低減された。即ち、上記一般式（１）、一般式（２）、一般式（３）または一般式（４）で表わされるスクアリリウム化合物を用いることで、可視領域における透明性を向上し、赤外波長域の光を選択的に吸収可能な赤外吸収層が得られることがわかった。特に、一般式（３）で表わされるスクアリリウム化合物は、図１４からわかるように、８５０ｎｍ以上に最大吸収ピークを有するため、より好ましいといえる。
【０１２１】
以上、第１，第２の実施の形態および変形例１〜４を挙げて説明したが、本開示内容は上記実施の形態等に限定されるものではなく、種々変形が可能である。例えば変形例２に示した固体撮像素子３０では、光反射防止層１７の効果を損なわない範囲でコーティング層等の他の層が設けられていてもよい。
【０１２２】
また、上記実施の形態等では、例えば固体撮像素子１０として各光電変換部１１Ｂが赤色光（Ｒ），緑色光（Ｇ）および青色光（Ｂ）をそれぞれ個別に検出する例を示したが、これに限らず、１画素から、Ｂ／Ｇ／Ｒの信号を別々に取り出す縦分光型の固体撮像素子を用いてもよい。
【０１２３】
更に、本開示の固体撮像素子１０〜５０および可逆性記録媒体４等では、上記実施の形態で説明した各構成要素を全て備えている必要はなく、また逆に他の層を備えていてもよい。例えば、可逆性記録媒体４は、複数の記録層３２が積層されていていてもよく、また、複数の記録層３２の間に、例えば断熱層等の他の層が設けられていてもよい。
【０１２４】
なお、本明細書中に記載された効果はあくまで例示であって限定されるものではなく、また、他の効果があってもよい。
【０１２５】
なお、本開示は、以下のような構成であってもよい。
［１］
下記一般式（１）、一般式（２）、一般式（３）または一般式（４）で表わされる分子構造を有する
スクアリリウム化合物。
【化１】
2017203902.tif 000036
（Ｒ３は、炭素数１以上１０以下の直鎖状のアルキル基あるいはその誘導体である。Ｒ１，Ｒ２，Ｒ４〜Ｒ１１は、各々独立して水素原子、ハロゲン原子、直鎖，分岐または環状のアルキル基、フェニル基、直鎖または縮環した芳香族化合物を有する基、ハロゲン化物を有する基、パーシャルフルオロアルキル基、パーフルオロアルキル基、シリルアルキル基、シリルアルコキシ基、アリールシリル基、アリールスルファニル基、アルキルスルファニル基、アリールスルホニル基、アルキルスルホニル基、アリールスルフィド基、アルキルスルフィド基、アミノ基、アルキルアミノ基、アリールアミノ基、ヒドロキシ基、アルコキシ基、アシルアミノ基、アシルオキシ基、カルボニル基、カルボキシ基、カルボキソアミド基、カルボアルコキシ基、アシル基、スルホニル基、シアノ基、ニトロ基、カルコゲン化物を有する基、ホスフィン基、ホスホン基あるいはそれらの誘導体である。）
【化２】
2017203902.tif 000037
（Ｒ２１は、炭素数１以上１０以下の直鎖状のアルキル基あるいはその誘導体である。Ｒ１２〜Ｒ２０は、水素原子、ハロゲン原子、直鎖，分岐または環状のアルキル基、フェニル基、直鎖または縮環した芳香族化合物を有する基、ハロゲン化物を有する基、パーシャルフルオロアルキル基、パーフルオロアルキル基、シリルアルキル基、シリルアルコキシ基、アリールシリル基、アリールスルファニル基、アルキルスルファニル基、アリールスルホニル基、アルキルスルホニル基、アリールスルフィド基、アルキルスルフィド基、アミノ基、アルキルアミノ基、アリールアミノ基、ヒドロキシ基、アルコキシ基、アシルアミノ基、アシルオキシ基、カルボニル基、カルボキシ基、カルボキソアミド基、カルボアルコキシ基、アシル基、スルホニル基、シアノ基、ニトロ基、カルコゲン化物を有する基、ホスフィン基、ホスホン基あるいはそれらの誘導体である。）
【化３】
2017203902.tif 000038
（Ｒ３１は、炭素数１以上１０以下の直鎖状のアルキル基あるいはその誘導体である。Ｒ２２〜Ｒ３０は、水素原子、ハロゲン原子、直鎖，分岐または環状のアルキル基、フェニル基、直鎖または縮環した芳香族化合物を有する基、ハロゲン化物を有する基、パーシャルフルオロアルキル基、パーフルオロアルキル基、シリルアルキル基、シリルアルコキシ基、アリールシリル基、アリールスルファニル基、アルキルスルファニル基、アリールスルホニル基、アルキルスルホニル基、アリールスルフィド基、アルキルスルフィド基、アミノ基、アルキルアミノ基、アリールアミノ基、ヒドロキシ基、アルコキシ基、アシルアミノ基、アシルオキシ基、カルボニル基、カルボキシ基、カルボキソアミド基、カルボアルコキシ基、アシル基、スルホニル基、シアノ基、ニトロ基、カルコゲン化物を有する基、ホスフィン基、ホスホン基あるいはそれらの誘導体である。）
【化４】
2017203902.tif 000039
（Ｘ１〜Ｘ５は、各々独立して炭素原子または窒素原子である。Ｒ３９は、炭素数１以上１０以下の直鎖状のアルキル基あるいはその誘導体である。Ｒ３２〜Ｒ３８は、水素原子、ハロゲン原子、直鎖，分岐または環状のアルキル基、フェニル基、直鎖または縮環した芳香族化合物を有する基、ハロゲン化物を有する基、パーシャルフルオロアルキル基、パーフルオロアルキル基、シリルアルキル基、シリルアルコキシ基、アリールシリル基、アリールスルファニル基、アルキルスルファニル基、アリールスルホニル基、アルキルスルホニル基、アリールスルフィド基、アルキルスルフィド基、アミノ基、アルキルアミノ基、アリールアミノ基、ヒドロキシ基、アルコキシ基、アシルアミノ基、アシルオキシ基、カルボニル基、カルボキシ基、カルボキソアミド基、カルボアルコキシ基、アシル基、スルホニル基、シアノ基、ニトロ基、カルコゲン化物を有する基、ホスフィン基、ホスホン基あるいはそれらの誘導体である。）
［２］
前記一般式（１）におけるＲ１，Ｒ１１は、各々独立して少なくとも一方が水素結合を形成可能な基である、前記［１］に記載のスクアリリウム化合物。
［３］
前記水素結合を形成する基は、ヒドロキシ（−ＯＨ）基，アミノ（−ＮＨ2）基またはアミド（−Ｃ（＝Ｏ）−ＮＲ４０Ｒ４１；Ｒ４０およびＲ４１は各々独立して水素原子またはアルキル基）である、前記［２］に記載のスクアリリウム化合物。
［４］
前記一般式（２）におけるＲ１２は、水素結合を形成可能な基である、前記［１］に記載のスクアリリウム化合物。
［５］
前記水素結合を形成する基は、ヒドロキシ（−ＯＨ）基，アミノ（−ＮＨ2）基またはアミド（−Ｃ（＝Ｏ）−ＮＲ４０Ｒ４１；Ｒ４０およびＲ４１は各々独立して水素原子またはアルキル基）である、前記［４］に記載のスクアリリウム化合物。
［６］
前記一般式（３）におけるＲ２２は、水素結合を形成可能な基である、前記［１］に記載のスクアリリウム化合物。
［７］
前記水素結合を形成する基は、ヒドロキシ（−ＯＨ）基，アミノ（−ＮＨ2）基またはアミド（−Ｃ（＝Ｏ）−ＮＲ４０Ｒ４１；Ｒ４０およびＲ４１は各々独立して水素原子またはアルキル基）である、前記［６］に記載のスクアリリウム化合物。
［８］
前記一般式（４）におけるＲ３２は、水素結合を形成可能な基である、前記［１］に記載のスクアリリウム化合物。
［９］
前記水素結合を形成する基は、ヒドロキシ（−ＯＨ）基，アミノ（−ＮＨ2）基またはアミド（−Ｃ（＝Ｏ）−ＮＲ４０Ｒ４１；Ｒ４０およびＲ４１は各々独立して水素原子またはアルキル基）である前記［８］に記載のスクアリリウム化合物。
［１０］
前記一般式（１）、前記一般式（２）、前記一般式（３）または前記一般式（４）で表わされるスクアリリウム化合物は、６５０ｎｍ以上１５００ｎｍ以下の範囲に極大吸収は量を有し、赤外波長域（６００ｎｍ以上１５００ｎｍ以下）の最大吸光度に対する可視領域（４００ｎｍ以上６００ｎｍ未満）の最大吸光度は、０．０４未満である、前記［１］乃至［９］のうちのいずれかに記載のスクアリリウム化合物。
［１１］
光電変換部と、
前記光電変換部の上に設けられたオンチップレンズと、
前記オンチップレンズの上に設けられ、下記一般式（１）、一般式（２）、一般式（３）または一般式（４）で表わされる分子構造を有するスクアリリウム化合物を少なくとも１種含む光学フィルタと
を備えた固体撮像素子。
【化５】
2017203902.tif 000040
（Ｒ３は、炭素数１以上１０以下の直鎖状のアルキル基あるいはその誘導体である。Ｒ１，Ｒ２，Ｒ４〜Ｒ１１は、各々独立して水素原子、ハロゲン原子、直鎖，分岐または環状のアルキル基、フェニル基、直鎖または縮環した芳香族化合物を有する基、ハロゲン化物を有する基、パーシャルフルオロアルキル基、パーフルオロアルキル基、シリルアルキル基、シリルアルコキシ基、アリールシリル基、アリールスルファニル基、アルキルスルファニル基、アリールスルホニル基、アルキルスルホニル基、アリールスルフィド基、アルキルスルフィド基、アミノ基、アルキルアミノ基、アリールアミノ基、ヒドロキシ基、アルコキシ基、アシルアミノ基、アシルオキシ基、カルボニル基、カルボキシ基、カルボキソアミド基、カルボアルコキシ基、アシル基、スルホニル基、シアノ基、ニトロ基、カルコゲン化物を有する基、ホスフィン基、ホスホン基あるいはそれらの誘導体である。）
【化６】
2017203902.tif 000041
（Ｒ２１は、炭素数１以上１０以下の直鎖状のアルキル基あるいはその誘導体である。Ｒ１２〜Ｒ２０は、水素原子、ハロゲン原子、直鎖，分岐または環状のアルキル基、フェニル基、直鎖または縮環した芳香族化合物を有する基、ハロゲン化物を有する基、パーシャルフルオロアルキル基、パーフルオロアルキル基、シリルアルキル基、シリルアルコキシ基、アリールシリル基、アリールスルファニル基、アルキルスルファニル基、アリールスルホニル基、アルキルスルホニル基、アリールスルフィド基、アルキルスルフィド基、アミノ基、アルキルアミノ基、アリールアミノ基、ヒドロキシ基、アルコキシ基、アシルアミノ基、アシルオキシ基、カルボニル基、カルボキシ基、カルボキソアミド基、カルボアルコキシ基、アシル基、スルホニル基、シアノ基、ニトロ基、カルコゲン化物を有する基、ホスフィン基、ホスホン基あるいはそれらの誘導体である。）
【化７】
2017203902.tif 000042
（Ｒ３１は、炭素数１以上１０以下の直鎖状のアルキル基あるいはその誘導体である。Ｒ２２〜Ｒ３０は、水素原子、ハロゲン原子、直鎖，分岐または環状のアルキル基、フェニル基、直鎖または縮環した芳香族化合物を有する基、ハロゲン化物を有する基、パーシャルフルオロアルキル基、パーフルオロアルキル基、シリルアルキル基、シリルアルコキシ基、アリールシリル基、アリールスルファニル基、アルキルスルファニル基、アリールスルホニル基、アルキルスルホニル基、アリールスルフィド基、アルキルスルフィド基、アミノ基、アルキルアミノ基、アリールアミノ基、ヒドロキシ基、アルコキシ基、アシルアミノ基、アシルオキシ基、カルボニル基、カルボキシ基、カルボキソアミド基、カルボアルコキシ基、アシル基、スルホニル基、シアノ基、ニトロ基、カルコゲン化物を有する基、ホスフィン基、ホスホン基あるいはそれらの誘導体である。）
【化８】
2017203902.tif 000043
（Ｘ１〜Ｘ５は、各々独立して炭素原子または窒素原子である。Ｒ３９は、炭素数１以上１０以下の直鎖状のアルキル基あるいはその誘導体である。Ｒ３２〜Ｒ３８は、水素原子、ハロゲン原子、直鎖，分岐または環状のアルキル基、フェニル基、直鎖または縮環した芳香族化合物を有する基、ハロゲン化物を有する基、パーシャルフルオロアルキル基、パーフルオロアルキル基、シリルアルキル基、シリルアルコキシ基、アリールシリル基、アリールスルファニル基、アルキルスルファニル基、アリールスルホニル基、アルキルスルホニル基、アリールスルフィド基、アルキルスルフィド基、アミノ基、アルキルアミノ基、アリールアミノ基、ヒドロキシ基、アルコキシ基、アシルアミノ基、アシルオキシ基、カルボニル基、カルボキシ基、カルボキソアミド基、カルボアルコキシ基、アシル基、スルホニル基、シアノ基、ニトロ基、カルコゲン化物を有する基、ホスフィン基、ホスホン基あるいはそれらの誘導体である。）
［１２］
前記光学フィルタは、下記一般式（１）、一般式（２）、一般式（３）または一般式（４）で表わされるスクアリリウム化合物と、バインダー樹脂とを含有する、前記［１１］に記載の固体撮像素子。
［１３］
前記バインダー樹脂は、４００ｎｍ以上６００ｎｍ以下に吸収極大波長を有しない熱硬化型または光硬化型樹脂である、前記［１２］に記載の固体撮像素子。
［１４］
前記バインダー樹脂は、シロキサン結合を主骨格とする樹脂である、前記［１３］に記載の固体撮像素子。
［１５］
前記光学フィルタは、さらに、前記スクアリリウム化合物とは吸収極大波長が異なる１または２種以上の色素を含む、前記［１１］乃至［１３］のうちのいずれかに記載の固体撮像素子。
［１６］
前記光学フィルタは、前記スクアリリウム化合物を含有する第１吸収層と、前記スクアリリウム化合物とは吸収極大波長が異なる色素を含有する第２吸収層とが積層されて構成されている、前記［１５］に記載の固体撮像素子。
［１７］
前記光学フィルタの厚みは、０．５μｍ以上２００μｍ以下である、前記［１１］乃至［１６］のうちのいずれかに記載の固体撮像素子。
［１８］
各画素が１または複数の固体撮像素子を含み、
前記固体撮像素子は、
光電変換部と、
前記光電変換部の上に設けられたオンチップレンズと、
前記オンチップレンズの上に設けられ、下記一般式（１）、一般式（２）、一般式（３）または一般式（４）で表わされる分子構造を有するスクアリリウム化合物を少なくとも１種含む光学フィルタと
を備えた電子機器。
【化９】
2017203902.tif 000044
（Ｒ３は、炭素数１以上１０以下の直鎖状のアルキル基あるいはその誘導体である。Ｒ１，Ｒ２，Ｒ４〜Ｒ１１は、各々独立して水素原子、ハロゲン原子、直鎖，分岐または環状のアルキル基、フェニル基、直鎖または縮環した芳香族化合物を有する基、ハロゲン化物を有する基、パーシャルフルオロアルキル基、パーフルオロアルキル基、シリルアルキル基、シリルアルコキシ基、アリールシリル基、アリールスルファニル基、アルキルスルファニル基、アリールスルホニル基、アルキルスルホニル基、アリールスルフィド基、アルキルスルフィド基、アミノ基、アルキルアミノ基、アリールアミノ基、ヒドロキシ基、アルコキシ基、アシルアミノ基、アシルオキシ基、カルボニル基、カルボキシ基、カルボキソアミド基、カルボアルコキシ基、アシル基、スルホニル基、シアノ基、ニトロ基、カルコゲン化物を有する基、ホスフィン基、ホスホン基あるいはそれらの誘導体である。）
【化１０】
2017203902.tif 000045
（Ｒ２１は、炭素数１以上１０以下の直鎖状のアルキル基あるいはその誘導体である。Ｒ１２〜Ｒ２０は、水素原子、ハロゲン原子、直鎖，分岐または環状のアルキル基、フェニル基、直鎖または縮環した芳香族化合物を有する基、ハロゲン化物を有する基、パーシャルフルオロアルキル基、パーフルオロアルキル基、シリルアルキル基、シリルアルコキシ基、アリールシリル基、アリールスルファニル基、アルキルスルファニル基、アリールスルホニル基、アルキルスルホニル基、アリールスルフィド基、アルキルスルフィド基、アミノ基、アルキルアミノ基、アリールアミノ基、ヒドロキシ基、アルコキシ基、アシルアミノ基、アシルオキシ基、カルボニル基、カルボキシ基、カルボキソアミド基、カルボアルコキシ基、アシル基、スルホニル基、シアノ基、ニトロ基、カルコゲン化物を有する基、ホスフィン基、ホスホン基あるいはそれらの誘導体である。）
【化１１】
2017203902.tif 000046
（Ｒ３１は、炭素数１以上１０以下の直鎖状のアルキル基あるいはその誘導体である。Ｒ２２〜Ｒ３０は、水素原子、ハロゲン原子、直鎖，分岐または環状のアルキル基、フェニル基、直鎖または縮環した芳香族化合物を有する基、ハロゲン化物を有する基、パーシャルフルオロアルキル基、パーフルオロアルキル基、シリルアルキル基、シリルアルコキシ基、アリールシリル基、アリールスルファニル基、アルキルスルファニル基、アリールスルホニル基、アルキルスルホニル基、アリールスルフィド基、アルキルスルフィド基、アミノ基、アルキルアミノ基、アリールアミノ基、ヒドロキシ基、アルコキシ基、アシルアミノ基、アシルオキシ基、カルボニル基、カルボキシ基、カルボキソアミド基、カルボアルコキシ基、アシル基、スルホニル基、シアノ基、ニトロ基、カルコゲン化物を有する基、ホスフィン基、ホスホン基あるいはそれらの誘導体である。）
【化１２】
2017203902.tif 000047
（Ｘ１〜Ｘ５は、各々独立して炭素原子または窒素原子である。Ｒ３９は、炭素数１以上１０以下の直鎖状のアルキル基あるいはその誘導体である。Ｒ３２〜Ｒ３８は、水素原子、ハロゲン原子、直鎖，分岐または環状のアルキル基、フェニル基、直鎖または縮環した芳香族化合物を有する基、ハロゲン化物を有する基、パーシャルフルオロアルキル基、パーフルオロアルキル基、シリルアルキル基、シリルアルコキシ基、アリールシリル基、アリールスルファニル基、アルキルスルファニル基、アリールスルホニル基、アルキルスルホニル基、アリールスルフィド基、アルキルスルフィド基、アミノ基、アルキルアミノ基、アリールアミノ基、ヒドロキシ基、アルコキシ基、アシルアミノ基、アシルオキシ基、カルボニル基、カルボキシ基、カルボキソアミド基、カルボアルコキシ基、アシル基、スルホニル基、シアノ基、ニトロ基、カルコゲン化物を有する基、ホスフィン基、ホスホン基あるいはそれらの誘導体である。）
【符号の説明】
【０１２６】
１…固体撮像装置、２…電子機器、３…プラズマディスプレイ、４…可逆性記録媒体、１０〜５０…固体撮像素子、１１Ａ…基板、１１Ｂ…光電変換部、１２…カラーフィルタ層、１３…オンチップレンズ、１４…平坦化層、１５…赤外吸収層、１６，３３…保護層、１７…光反射防止層、１８…バンドパス層、２１，３１…支持基板、２２…接着層、３２…記録層。
【図１】
2017203902.tif 000061
【図２】
2017203902.tif 000062
【図３】
2017203902.tif 000063
【図４】
2017203902.tif 000064
【図５】
2017203902.tif 000065
【図６】
2017203902.tif 000066
【図７】
2017203902.tif 000067
【図８】
2017203902.tif 000068
【図９】
2017203902.tif 000069
【図１０】
2017203902.tif 000070
【図１１】
2017203902.tif 000071
【図１２】
2017203902.tif 000072
【図１３】
2017203902.tif 000073
【図１４】
2017203902.tif 000074
【図１５】
2017203902.tif 000075